(57)【要約】【課題】  光源光の分光エネルギー分布を取得することにより、ホワイトバランスの向上、ユーザの利便の向上を図ることができる撮像装置及びプログラムを実現する。【解決手段】  測光処理を行い（Ｓ１）、プリズム回折格子１７によって波長毎に分光された光をセンサアレイ１８等を介して取得された分光エネルギー分布Ｌ（λｉ）を取得する（Ｓ２）。そして、取得した分光エネルギー分布Ｌ（λｉ）から３刺激値、色度座標の算出を行い（Ｓ３〜Ｓ５）、該算出された色度座標から色温度、黒体輻射軌跡との偏差Δｕｖを求める（Ｓ６）。そして、該求めた偏差Δｕｖが許容範囲内か否かを判断し（Ｓ７）、許容範囲内と判断すると該求めた色温度を元に、撮像信号の利得を制御することによりホワイトバランスを行う（Ｓ８）。  一方、偏差Δｕｖが許容範囲内でないと判断すると、色温度測定が失敗した旨のエラー表示を行う。【選択図】  図５
2006054678.tif 000002
【特許請求の範囲】
【請求項１】
被写体を撮像する撮像手段と、
入射された光源光を波長毎に分光する分光手段と、
前記分光手段により分光された波長毎の光源光の分光エネルギー分布を取得する分光取得手段と、
前記分光取得手段により取得された分光エネルギー分布から色温度を算出する色温度算出手段と、
前記色温度算出手段により算出された色温度に基づいて、前記撮像手段により撮像された被写体の撮像信号の利得を制御することによりホワイトバランスを行うホワイトバランス制御手段と、
を備えたことを特徴とする撮像装置。
【請求項２】
ホワイトバランスを高速に行うか否かを判断する第１の判断手段を備え、
前記分光取得手段は、
前記第１の判断手段によりホワイトバランスを高速に行うと判断された場合は、粗い波長単位毎の分光エネルギー分布を取得し、
前記色温度算出手段は、
前記分光取得手段により取得された粗い波長単位毎の分光エネルギー分布から粗い色温度を算出し、
前記ホワイトバランス制御手段は、
前記色温度算出手段により算出された粗い色温度に基づいて、前記撮像手段により撮像された被写体の撮像信号の利得を制御することによりホワイトバランスを行うことを特徴とする請求項１記載の撮像装置。
【請求項３】
前記分光取得手段は、
前記第１の判断手段によりホワイトバランスを高速に行わないと判断された場合は、細かい波長単位毎の分光エネルギー分布を取得し、
前記色温度算出手段は、
前記分光取得手段により取得された細かい波長単位毎の分光エネルギー分布から精密な色温度を算出し、
前記ホワイトバランス制御手段は、
前記色温度算出手段により算出された精密な色温度に基づいて、前記撮像手段により撮像された被写体の撮像信号の利得を制御することによりホワイトバランスを行うことを特徴とする請求項１又は２記載の撮像装置。
【請求項４】
前記第１の判断手段は、
連写静止画撮影モード、若しくは、動画撮影モードにおいては、ホワイトバランスを高速で行うと判断することを特徴とする請求項２又は３記載の撮像装置。
【請求項５】
色温度が所定値より小さいか否かを判断する第２の判断手段を備え、
前記分光取得手段は、
粗い波長単位毎の分光エネルギー分布を取得し、
前記色温度算出手段は、
前記分光取得手段により取得された粗い波長単位毎の分光エネルギー分布から粗い色温度を算出し、
前記ホワイトバランス制御手段は、
前記第２の判断手段により前記色温度算出手段により算出された粗い色温度が所定値より小さくないと判断された場合は、該色温度算出手段により算出された粗い色温度に基づいて、前記撮像手段により撮像された被写体の撮像信号の利得を制御することによりホワイトバランスを行うことを特徴とする請求項１記載の撮像装置。
【請求項６】
前記ホワイトバランス制御手段は、
前記第２の判断手段により前記色温度算出手段により算出された粗い色温度が所定値より小さいと判断された場合は、前記色温度算出手段により前記分光取得手段により取得された細かい波長単位毎の分光エネルギー分布から算出された精密な色温度に基づいて、前記撮像手段により撮像された被写体の撮像信号の利得を制御することによりホワイトバランスを行うことを特徴とする請求項５記載の撮像装置。
【請求項７】
被写体を撮像する撮像手段と、
入射された光源を波長毎に分光する分光手段と、
前記分光手段により分光された波長毎の光の分光エネルギー分布を取得する分光取得手段と、
前記分光取得手段により取得された分光エネルギー分布に基づいて、前記撮像手段により撮像された被写体の撮像信号の利得を制御することによりホワイトバランスを行うホワイトバランス制御手段と、
ユーザによって入力されたホワイトバランスの条件を設定する設定手段と、
前記設定手段により設定されたホワイトバランスの条件にしたがって、前記ホワイトバランス制御手段によりホワイトバランスが行われた後の前記撮像手段により撮像された被写体の撮像信号の利得を制御することによりホワイトバランスの補正制御を行うホワイトバランス補正制御手段と、
を備えたことを特徴とする撮像装置。
【請求項８】
前記ホワイトバランスの条件は、
色度座標、色温度であることを特徴とする請求項７記載の撮像装置。
【請求項９】
前記ホワイトバランス制御手段によりホワイトバランスが行われた後の前記撮像手段により撮像された被写体の撮像信号の色度座標を算出する補正座標算出手段を備え、
前記ホワイトバランス補正制御手段は、
前記設定手段により色度座標が設定された場合には、前記補正座標算出手段により算出された撮像信号の色度座標が前記設定手段により設定された色度座標となるようにホワイトバランスの補正制御を行うことを特徴とする請求項８記載の撮像装置。
【請求項１０】
前記補正座標算出手段により算出された色度座標から色温度を算出する補正色温度算出手段を備え、
前記ホワイトバランス補正制御手段は、
前記設定手段により色温度が設定された場合には、前記補正色温度算出手段により算出された撮像信号の色温度が前記設定手段により設定された色温度となるようにホワイトバランスの補正制御を行うことを特徴とする請求項９記載の撮像装置。
【請求項１１】
連続して前記撮像手段による被写体の撮影を制御する連続撮影制御手段を備えたことを特徴とする請求項７乃至１０の何れかに記載の撮像装置。
【請求項１２】
前記設定手段は、
前記連続撮影制御手段により被写体の撮影を制御する度に、異なるホワイトバランスの条件を設定し、
前記ホワイトバランス補正制御手段は、
前記設定手段により設定されたホワイトバランスの条件にしたがって、前記撮像手段により撮像された被写体の撮像信号の利得を制御することによりホワイトバランスを行うことを特徴とする請求項１１記載の撮像装置。
【請求項１３】
ユーザがブラケティングさせるホワイトバランスの条件の補正間隔を入力するための補正間隔入力手段を備え、
前記設定手段は、
前記連続撮影制御手段により被写体の撮影の制御をするごとに、前記補正間隔入力手段により入力された補正間隔にしたがって、ホワイトバランスの条件を設定することを特徴とする請求項１２記載の撮像装置。
【請求項１４】
前記補正間隔入力手段は、
更に、ブラケティングさせる補正順序、補正枚数を入力するための入力手段を備え、
前記設定手段は、
前記連続撮影制御手段により被写体の撮影を制御するごとに、前記補正間隔入力手段により入力された補正間隔、補正順序、補正枚数にしたがって、ホワイトバランスの条件をブラケティングさせて異なるホワイトバランスの条件を設定することを特徴とする請求項１３記載の撮像装置。
【請求項１５】
被写体を撮像する撮像手段と、
ユーザが所望の分光エネルギー分布を設定するための設定手段と、
入射された光源光を波長毎に分光する分光手段と、
前記分光手段により分光された波長毎の光源光の分光エネルギー分布を取得する分光取得手段と、
前記分光取得手段により取得された分光エネルギー分布及び前記設定手段により設定された所望の分光エネルギー分布を用いて仮想的なカラー変換フィルタを算出する仮想フィルタ算出手段と、
前記仮想フィルタ算出手段により算出された仮想的なカラー変換フィルタに基づいて、前記撮像手段により撮像された被写体の撮像信号の利得を制御することによりホワイトバランスを行うホワイトバランス制御手段と、
を備えたことを特徴とする撮像装置。
【請求項１６】
前記仮想フィルタ算出手段は、
前記分光取得手段により取得された光源光の分光エネルギー分布から光源光が撮像光学系を透過したときの光の波長帯毎の分光エネルギー分布をシミュレーション演算し、該演算した分光エネルギー分布と前記設定手段により設定された所望の分光エネルギー分布を用いて仮想的なカラー変換フィルタを算出することを特徴とする請求項１５記載の撮像装置。
【請求項１７】
前記仮想フィルタ算出手段は、
前記分光取得手段により取得された光源光の分光エネルギー分布から前記撮像手段により撮像された被写体の撮像信号の分光エネルギー分布をシミュレーション演算し、該演算した分光エネルギー分布と前記設定手段により設定された所望の分光エネルギー分布を用いて仮想的なカラー変換フィルタを算出することを特徴とする請求項１５又は１６記載の撮像装置。
【請求項１８】
被写体を撮像する撮像手段と、
前記撮像手段により撮像された被写体の画像、ホワイトバランスを調整させるための情報などを表示させるための表示手段と、
複数の表示仕様の中からユーザによって選択された表示仕様を表示仕様として設定する仕様設定手段と、
前記仕様設定手段により設定された表示仕様にしたがってホワイトバランスを設定させるための情報及び前記撮像手段により撮像された被写体の画像を前記表示手段に表示させる表示制御手段と、
を備えたことを特徴とする撮像装置。
【請求項１９】
前記複数の表示仕様は、
少なくともビギナー仕様、プロ仕様を含むことを特徴とする請求項１８記載の撮像装置。
【請求項２０】
前記表示制御手段は、
前記仕様設定手段によりビギナー仕様が設定された場合には、ホワイトバランスの調整が行われるごとに、調整後のホワイトバランスがどのようにホワイトバランスを行うか等を説明するホワイトバランスの説明文を前記表示手段に表示させることを特徴とする請求項１９記載の撮像装置。
【請求項２１】
前記表示制御手段は、
前記仕様設定手段によりビギナー仕様が設定された場合は、ホワイトバランスを調整させるための情報として、ＷＢバーを表示させることを特徴とする請求項１９又は２０記載の撮像装置。
【請求項２２】
前記表示制御手段は、
ＷＢバーの調整部が調整された場合には、調整後のホワイトバランスがどのようにホワイトバランスを行うか等を説明するホワイトバランスの説明文を前記表示手段に表示させることを特徴とする請求項２１記載の撮像装置。
【請求項２３】
前記表示制御手段は、
説明文の他に、ホワイトバランス後のサンプル画像を表示させることを特徴とする請求項２０乃至２２の何れかに記載の撮像装置。
【請求項２４】
前記表示制御手段は、
前記仕様設定手段によりプロ仕様が設定された場合には、ホワイトバランスを調整させるための情報として、光源の分光エネルギー分布、又は、色度図及び該色度図上に色度座標や黒体輻射軌跡を前記表示手段に表示させることを特徴とする請求項１９記載の撮像装置。
【請求項２５】
前記表示制御手段は、
前記表示手段に表示させる色度図及び色度座標の代わりに、Ｕ＊Ｖ＊Ｗ＊均等色空間、ＣＩＥＬＡＢのＬ＊Ａ＊Ｂ＊均等色空間、もしくはマンセル色空間などの色空間図及び色空間座標もしくは色相、彩度、明度等を表す指数等を表示させることを特徴とする請求項２４記載の撮像装置。
【請求項２６】
ユーザが表示仕様を切り替えるための切替手段を備え、
前記仕様設定手段は、
前記切替手段によって切り替えられた表示仕様を表示仕様として設定することを特徴とする請求項１８乃至２５記載の撮像装置。
【請求項２７】
被写体を撮像する撮像処理と、
入射された光源光を波長毎に分光する分光手段によって分光された波長毎の光源光の分光エネルギー分布を取得する処理と、
この処理により取得された分光エネルギー分布から色温度を算出する色温度算出処理と、
前記色温度算出処理により算出された色温度に基づいて、前記撮像処理により撮像された被写体の撮像信号の利得を制御することによりホワイトバランスを行う処理と、
を含み、上記各処理をコンピュータで実行させることを特徴とするプログラム。
【請求項２８】
被写体を撮像する撮像処理と、
入射された光源光を波長毎に分光する分光手段によって分光された波長毎の光源光の分光エネルギー分布を取得する処理と、
この処理により取得された分光エネルギー分布に基づいて、前記撮像処理により撮像された被写体の撮像信号の利得を制御することによりホワイトバランスを行うホワイトバランス制御処理と、
ホワイトバランスの条件を設定する設定処理と、
前記設定処理により設定されたホワイトバランスの条件にしたがって、前記ホワイトバランス制御処理によりホワイトバランスが行われた後の前記撮像処理により撮像された被写体の撮像信号の利得を制御することによりホワイトバランスの補正制御を行うホワイトバランス補正制御処理と、
を含み、上記各処理をコンピュータで実行させることを特徴とするプログラム。
【請求項２９】
被写体を撮像する撮像処理と、
ユーザが選択した所望の分光エネルギー分布を設定する設定処理と、
入射された光源光を波長毎に分光する分光手段によって分光された波長毎の光源光の分光エネルギー分布を取得する処理と、
この処理により取得された分光エネルギー分布及び前記設定処理により設定された所望の分光エネルギー分布を用いて仮想的なカラー変換フィルタを算出する仮想フィルタ算出処理と、
前記仮想フィルタ算出処理により算出された仮想的なカラー変換フィルタに基づいて、前記撮像処理により撮像された被写体の撮像信号の利得を制御することによりホワイトバランスを行う処理と、
を含み、上記各処理をコンピュータで実行させることを特徴とするプログラム。
【請求項３０】
被写体を撮像する撮像処理と、
ホワイトバランスを調整させるための情報を表示させる表示仕様を設定する仕様設定処理と、
前記仕様設定処理により設定された表示仕様にしたがってホワイトバランスを設定させるための情報及び前記撮像処理により撮像された被写体の画像を表示手段に表示させる処理と、
を含み、上記各処理をコンピュータで実行させることを特徴とするプログラム。
【発明の詳細な説明】
【技術分野】
【０００１】
本発明は、撮像装置及びそのプログラムに係り、光源光の分光エネルギー分布を取得することにより、ホワイトバランスの向上、ユーザの利便の向上を図ることができる撮像装置及びプログラムに関する。
【背景技術】
【０００２】
従来のデジタルカメラでは、撮影した被写体の画像が、蛍光灯下では緑色っぽく、白熱灯下では赤っぽくなってしまうため、光源によって変わる色調の違いを補正し、光源にかかわらず白さが同じに見えるようにすべく自動的にホワイトバランス（ＷＢ）制御を行っていた。
また、ホワイトバランスを調整するには、光源の色温度が必要だが、大別して、色温度検出用の３色ＲＧＢセンサ等を別に設ける外部測光方式と、ＣＣＤの撮像信号のＲＧＢの比率から検出する内部測光方式とがある。内部測光方式では、撮像画面内の無彩色部分を抽出して積分し、ＲＧＢ色差成分の比率が等しくなるように調節し、外部測光方式では、ＲＧＢ線さの色差成分のバランスや、（Ｒ−Ｙ）、（Ｂ−Ｙ）の平均や積分値がゼロになるように、色差信号ゲインを調節する。或は、色温度が高い場合にはＲのゲインを上げてＢのゲインを下げ、色温度が低い場合には逆の制御を行う。
また、ユーザが手動でホワイトバランスの設定を行うことができる機能を備えたデジタルカメラも登場してきている。例えば、「屋内撮影」、「屋外撮影」や、「日陰」等をユーザが選択することにより、選択された撮影状況で適切にホワイトバランスを行うというものである。
【０００３】
また、下記特許文献１には、カメラ装置なる発明が開示されている。詳しくは、光源が蛍光灯であるか否かを判別し、蛍光灯であると判断した場合には、ホワイトバランス調整信号とオフセット制御電圧信号とを加減、減算することにより、簡単で良好なホワイトバランス調整を行うというものである。
【０００４】
また、下記特許文献２には、ホワイトバランス回路なる発明が開示されている。詳しくは、ＲＧＢ３原色のスペクトル強度を検出する検出部と輝線スペクトルの強度を検出する検出部とを設け、両出力を元に演算して、ホワイトバランスを制御することにより、スペクトルが極端に偏在して分布している蛍光灯等の放電管系の光源に対しても適切なホワイトバランスを得ることができるというものである。
【０００５】
また、下記特許文献３には、光電色彩計の分光感度補正機構なる発明が開示されている。詳しくは、３刺激値を測定する３つの受光系と、３つの受光系の分光感度と異なる分光感度を有する補正受光系とを有し、３つの受光系のそれぞれにつき、その受光系の出力に他の２つの受光系の出力に補正係数かけた信号を加減させて、その受光系の分光感度特性を与えられた分光感度特性に近似させ、その残留誤差を更に補正受光系で補正することにより、測定精度を著しく向上させることができるというものである。
【０００６】
【特許文献１】特許公報  第２５０２５０２号（第（２）項右欄第４項第１７行から第（３）項右欄第６項第２３行目参照）
【０００７】
【特許文献２】特許公報  特公昭６２−５００２６号（第（１）項右欄第２項第２９行から第（３）項左欄第５項第３０行目参照）
【０００８】
【特許文献３】特許公報  第２６７１４１４号（第（３）項左欄第５項第８行から第（３）項右欄第１０項第１１行目参照）
【発明の開示】
【発明が解決しようとする課題】
【０００９】
（１）ＲＧＢの比によるＷＢ制御は、３刺激値型の光電色彩計と同様の原理で、３つの受光系の分光感度が、視覚の比視感度特性やＣＩＥ（国際照明学会）１９３１に規定されたＲＧＢ３刺激値の等色関数等に適合させれば、正しい色度座標や色温度も計測でき、これを元に正確なＷＢ制御もできるはずだが、細かく校正しても、光学系の分光透過率や受光部の分光感度特性を、等色関数にぴたりと合わせることは難しく、アナログ的にＷＢ制御はできても、色温度など数値を求めるには精度が低いので、高精度に色温度などを求めてＷＢ制御を行うという課題がある。
また、太陽光や白熱電灯等、なだらかな分光分布の光源では問題はないが、蛍光灯など分光特性の凹凸が激しく輝線スペクトルが顕著な光源等ではうまく計測できず、蛍光灯下でも高精度に色温度を求めるという課題がある。
【００１０】
（２）また、上記特許文献１記載の発明によれば、フリッカー等から蛍光灯と判別した場合には、ホワイトバランス調整信号とオフセット制御電圧信号とを加減、減算することにより、簡単で良好なホワイトバランス調整を行うことができるが、白色の蛍光灯でも、昼光色、昼白色、白色、温白色、電球色、各色の３波長発光型など、色温度が３０００Ｋ〜８０００Ｋと異なる多種の製品が利用され、蛍光灯と単に識別しただけでは色温度設定ができず、このような場合でも適切な色温度設定を行うという課題がある。
【００１１】
（３）また、上記特許文献２記載の発明によれば、ＲＧＢ３原色のスペクトル強度を検出する検出部と輝線スペクトルの強度を検出する検出部とを設け、両出力を元に演算して、ホワイトバランスを制御することにより、スペクトルが極端に偏在して分布している蛍光灯等の放電管系の光源に対しても適切なホワイトバランスを得ることができるが、各種の光源や種別毎に輝度スペクトル専用の検出部等を設けると複雑で高コストになるため、簡易で低コストにするという課題がある。
また、複数種の光源が混ざった場合や、新しい特性の光源には対応できなかった。
【００１２】
（４）下記特許文献３記載の発明によれば、高精度の色彩計測を行うことができるが、校正された標準光源等を用いて専門家が正しく校正して初めて計測できる専用計測器であり、最も簡易な光電色彩計でも数十万円以上と高価であり、携帯カメラのＷＢ制御のために内蔵するには大型で高コストであった。
また、３刺激値型の光電色彩計や、撮像信号から色情報を求めるのでは、分光感度特性を等色関数に合わせるのは難しく、蛍光灯など放電型の光源にも対応できなかった。
【００１３】
（５）また、ＷＢは調整することができても色温度が特定できないため、ＷＢブラケティング撮影を行う際、露出ブラケティング撮影で±３ＥＶ等と設定するのと同じように、色温度などの具体的な補正値を設定して撮影条件の加減を指定したり、それに見合った制御を行うことができず、露出ブラケティング撮影で±３ＥＶ等と具体的に設定するように、色温度などを具体的に設定してＷＢブラケティングを行うという課題があった。
【００１４】
（６）更に、ユーザがホワイトバランスのマニュアル設定を行うことはできるが、初心者にとっては、「屋内撮影」、「屋外撮影」等を選択して設定しても、その設定の具体的な意味もわからずに、ただ選択設定していた場合があり、撮影する楽しさや演出に欠けていた。
また、「屋内撮影」、「屋外撮影」等を選択して、ホワイトバランスを設定していたため、熟練者にとっては、物足りないものがあり、もっと精密にホワイトバランスを行いたいというニーズに応えることができなかった。
【００１５】
そこで本発明は、かかる従来の問題点に鑑みてなされたものであり、光源光の分光エネルギー分布を取得することにより、ホワイトバランスの向上、ユーザの利便の向上を図ることができる撮像装置及びプログラムを提供することを目的とする。
【課題を解決するための手段】
【００１６】
上記目的達成のため、請求項１記載の発明による撮像装置は、被写体を撮像する撮像手段と、
入射された光源光を波長毎に分光する分光手段と、
前記分光手段により分光された波長毎の光源光の分光エネルギー分布を取得する分光取得手段と、
前記分光取得手段により取得された分光エネルギー分布から色温度を算出する色温度算出手段と、
前記色温度算出手段により算出された色温度に基づいて、前記撮像手段により撮像された被写体の撮像信号の利得を制御することによりホワイトバランスを行うホワイトバランス制御手段と、
を備えたことを特徴とする。
【００１７】
また、例えば、請求項２に記載されているように、ホワイトバランスを高速に行うか否かを判断する第１の判断手段を備え、
前記分光取得手段は、
前記第１の判断手段によりホワイトバランスを高速に行うと判断された場合は、粗い波長単位毎の分光エネルギー分布を取得し、
前記色温度算出手段は、
前記分光取得手段により取得された粗い波長単位毎の分光エネルギー分布から粗い色温度を算出し、
前記ホワイトバランス制御手段は、
前記色温度算出手段により算出された粗い色温度に基づいて、前記撮像手段により撮像された被写体の撮像信号の利得を制御することによりホワイトバランスを行うようにしてもよい。
【００１８】
また、例えば、請求項３に記載されているように、前記分光取得手段は、
前記第１の判断手段によりホワイトバランスを高速に行わないと判断された場合は、細かい波長単位毎の分光エネルギー分布を取得し、
前記色温度算出手段は、
前記分光取得手段により取得された細かい波長単位毎の分光エネルギー分布から精密な色温度を算出し、
前記ホワイトバランス制御手段は、
前記色温度算出手段により算出された精密な色温度に基づいて、前記撮像手段により撮像された被写体の撮像信号の利得を制御することによりホワイトバランスを行うようにしてもよい。
【００１９】
また、例えば、請求項４に記載されているように、記第１の判断手段は、
連写静止画撮影モード、若しくは、動画撮影モードにおいては、ホワイトバランスを高速で行うと判断するようにしてもよい。
【００２０】
また、例えば、請求項５に記載されているように、色温度が所定値より小さいか否かを判断する第２の判断手段を備え、
前記分光取得手段は、
粗い波長単位毎の分光エネルギー分布を取得し、
前記色温度算出手段は、
前記分光取得手段により取得された粗い波長単位毎の分光エネルギー分布から粗い色温度を算出し、
前記ホワイトバランス制御手段は、
前記第２の判断手段により前記色温度算出手段により算出された粗い色温度が所定値より小さくないと判断された場合は、該色温度算出手段により算出された粗い色温度に基づいて、前記撮像手段により撮像された被写体の撮像信号の利得を制御することによりホワイトバランスを行うようにしてもよい。
【００２１】
また、例えば、請求項６に記載されているように、前記ホワイトバランス制御手段は、
前記第２の判断手段により前記色温度算出手段により算出された粗い色温度が所定値より小さいと判断された場合は、前記色温度算出手段により前記分光取得手段により取得された細かい波長単位毎の分光エネルギー分布から算出された精密な色温度に基づいて、前記撮像手段により撮像された被写体の撮像信号の利得を制御することによりホワイトバランスを行うようにしてもよい。
【００２２】
上記目的達成のため、請求項７記載の発明による撮像装置は、被写体を撮像する撮像手段と、
入射された光源を波長毎に分光する分光手段と、
前記分光手段により分光された波長毎の光の分光エネルギー分布を取得する分光取得手段と、
前記分光取得手段により取得された分光エネルギー分布に基づいて、前記撮像手段により撮像された被写体の撮像信号の利得を制御することによりホワイトバランスを行うホワイトバランス制御手段と、
ユーザによって入力されたホワイトバランスの条件を設定する設定手段と、
前記設定手段により設定されたホワイトバランスの条件にしたがって、前記ホワイトバランス制御手段によりホワイトバランスが行われた後の前記撮像手段により撮像された被写体の撮像信号の利得を制御することによりホワイトバランスの補正制御を行うホワイトバランス補正制御手段と、
を備えたことを特徴とする。
【００２３】
また、例えば、請求項８に記載されているように、前記ホワイトバランスの条件は、色度座標、色温度であるようにしてもよい。
【００２４】
また、例えば、請求項９に記載されているように、前記ホワイトバランス制御手段によりホワイトバランスが行われた後の前記撮像手段により撮像された被写体の撮像信号の色度座標を算出する補正座標算出手段を備え、
前記ホワイトバランス補正制御手段は、
前記設定手段により色度座標が設定された場合には、前記補正座標算出手段により算出された撮像信号の色度座標が前記設定手段により設定された色度座標となるようにホワイトバランスの補正制御を行うようにしてもよい。
【００２５】
また、例えば、請求項１０に記載されているように、前記補正座標算出手段により算出された色度座標から色温度を算出する補正色温度算出手段を備え、
前記ホワイトバランス補正制御手段は、
前記設定手段により色温度が設定された場合には、前記補正色温度算出手段により算出された撮像信号の色温度が前記設定手段により設定された色温度となるようにホワイトバランスの補正制御を行うようにしてもよい。
【００２６】
また、例えば、請求項１１に記載されているように、連続して前記撮像手段による被写体の撮影を制御する連続撮影制御手段を備えるようにしてもよい。
また、例えば、請求項１２に記載されているように、前記設定手段は、
前記連続撮影制御手段により被写体の撮影を制御する度に、異なるホワイトバランスの条件を設定し、
前記ホワイトバランス補正制御手段は、
前記設定手段により設定されたホワイトバランスの条件にしたがって、前記撮像手段により撮像された被写体の撮像信号の利得を制御することによりホワイトバランスを行うようにしてもよい。
【００２７】
また、例えば、請求項１３に記載されているように、ユーザがブラケティングさせるホワイトバランスの条件の補正間隔を入力するための補正間隔入力手段を備え、
前記設定手段は、
前記連続撮影制御手段により被写体の撮影の制御をするごとに、前記補正間隔入力手段により入力された補正間隔にしたがって、ホワイトバランスの条件を設定するようにしてもよい。
【００２８】
また、例えば、請求項１４に記載されているように、前記補正間隔入力手段は、
更に、ブラケティングさせる補正順序、補正枚数を入力するための入力手段を備え、
前記設定手段は、
前記連続撮影制御手段により被写体の撮影を制御するごとに、前記補正間隔入力手段により入力された補正間隔、補正順序、補正枚数にしたがって、ホワイトバランスの条件をブラケティングさせて異なるホワイトバランスの条件を設定するようにしてもよい。
【００２９】
上記目的達成のため、請求項１５記載の発明による撮像装置は、被写体を撮像する撮像手段と、
ユーザが所望の分光エネルギー分布を設定するための設定手段と、
入射された光源光を波長毎に分光する分光手段と、
前記分光手段により分光された波長毎の光源光の分光エネルギー分布を取得する分光取得手段と、
前記分光取得手段により取得された分光エネルギー分布及び前記設定手段により設定された所望の分光エネルギー分布を用いて仮想的なカラー変換フィルタを算出する仮想フィルタ算出手段と、
前記仮想フィルタ算出手段により算出された仮想的なカラー変換フィルタに基づいて、前記撮像手段により撮像された被写体の撮像信号の利得を制御することによりホワイトバランスを行うホワイトバランス制御手段と、
を備えたことを特徴とする。
【００３０】
また、例えば、請求項１６に記載されているように、前記仮想フィルタ算出手段は、
前記分光取得手段により取得された光源光の分光エネルギー分布から光源光が撮像光学系を透過したときの光の波長帯毎の分光エネルギー分布をシミュレーション演算し、該演算した分光エネルギー分布と前記設定手段により設定された所望の分光エネルギー分布を用いて仮想的なカラー変換フィルタを算出するようにしてもよい。
【００３１】
また、例えば、請求項１７に記載されているように、前記仮想フィルタ算出手段は、
前記分光取得手段により取得された光源光の分光エネルギー分布から前記撮像手段により撮像された被写体の撮像信号の分光エネルギー分布をシミュレーション演算し、該演算した分光エネルギー分布と前記設定手段により設定された所望の分光エネルギー分布を用いて仮想的なカラー変換フィルタを算出するようにしてもよい。
【００３２】
上記目的達成のため、請求項１８記載の発明による撮像装置は、被写体を撮像する撮像手段と、
前記撮像手段により撮像された被写体の画像、ホワイトバランスを調整させるための情報などを表示させるための表示手段と、
複数の表示仕様の中からユーザによって選択された表示仕様を表示仕様として設定する仕様設定手段と、
前記仕様設定手段により設定された表示仕様にしたがってホワイトバランスを設定させるための情報及び前記撮像手段により撮像された被写体の画像を前記表示手段に表示させる表示制御手段と、
を備えたことを特徴とする。
【００３３】
また、例えば、請求項１９に記載されているように、前記複数の表示仕様は、
少なくともビギナー仕様、プロ仕様を含むようにしてもよい。
【００３４】
また、例えば、請求項２０に記載されているように、前記表示制御手段は、
前記仕様設定手段によりビギナー仕様が設定された場合には、ホワイトバランスの調整が行われるごとに、調整後のホワイトバランスがどのようにホワイトバランスを行うか等を説明するホワイトバランスの説明文を前記表示手段に表示させるようにしてもよい。
【００３５】
また、例えば、請求項２１に記載されているように、前記表示制御手段は、
前記仕様設定手段によりビギナー仕様が設定された場合は、ホワイトバランスを調整させるための情報として、ＷＢバーを表示させるようにしてもよい。
【００３６】
また、例えば、請求項２２に記載されているように、前記表示制御手段は、
ＷＢバーの調整部が調整された場合には、調整後のホワイトバランスがどのようにホワイトバランスを行うか等を説明するホワイトバランスの説明文を前記表示手段に表示させるようにしてもよい。
【００３７】
また、例えば、請求項２３に記載されているように、前記表示制御手段は、
説明文の他に、ホワイトバランス後のサンプル画像を表示させるようにしてもよい。
【００３８】
また、例えば、請求項２４に記載されているように、前記表示制御手段は、
前記仕様設定手段によりプロ仕様が設定された場合には、ホワイトバランスを調整させるための情報として、光源の分光エネルギー分布、又は、色度図及び該色度図上に色度座標や黒体輻射軌跡を前記表示手段に表示させるようにしてもよい。
【００３９】
また、例えば、請求項２５に記載されているように、前記表示制御手段は、
前記表示手段に表示させる色度図及び色度座標の代わりに、Ｕ＊Ｖ＊Ｗ＊均等色空間、ＣＩＥＬＡＢのＬ＊Ａ＊Ｂ＊均等色空間、もしくはマンセル色空間などの色空間図及び色空間座標もしくは色相、彩度、明度等を表す指数等を表示させるようにしてもよい。
【００４０】
また、例えば、請求項２６に記載されているように、ユーザが表示仕様を切り替えるための切替手段を備え、
前記仕様設定手段は、
前記切替手段によって切り替えられた表示仕様を表示仕様として設定するようにしてもよい。
【００４１】
上記目的達成のため、請求項２７記載の発明によるプログラムは、被写体を撮像する撮像処理と、
入射された光源光を波長毎に分光する分光手段によって分光された波長毎の光源光の分光エネルギー分布を取得する処理と、
この処理により取得された分光エネルギー分布から色温度を算出する色温度算出処理と、
前記色温度算出処理により算出された色温度に基づいて、前記撮像処理により撮像された被写体の撮像信号の利得を制御することによりホワイトバランスを行う処理と、
を含み、上記各処理をコンピュータで実行させることを特徴とする。
【００４２】
上記目的達成のため、請求項２８記載の発明によるプログラムは、被写体を撮像する撮像処理と、
入射された光源光を波長毎に分光する分光手段によって分光された波長毎の光源光の分光エネルギー分布を取得する処理と、
この処理により取得された分光エネルギー分布に基づいて、前記撮像処理により撮像された被写体の撮像信号の利得を制御することによりホワイトバランスを行うホワイトバランス制御処理と、
ホワイトバランスの条件を設定する設定処理と、
前記設定処理により設定されたホワイトバランスの条件にしたがって、前記ホワイトバランス制御処理によりホワイトバランスが行われた後の前記撮像処理により撮像された被写体の撮像信号の利得を制御することによりホワイトバランスの補正制御を行うホワイトバランス補正制御処理と、
を含み、上記各処理をコンピュータで実行させることを特徴とする。
【００４３】
上記目的達成のため、請求項２９記載の発明によるプログラムは、被写体を撮像する撮像処理と、
ユーザが選択した所望の分光エネルギー分布を設定する設定処理と、
入射された光源光を波長毎に分光する分光手段によって分光された波長毎の光源光の分光エネルギー分布を取得する処理と、
この処理により取得された分光エネルギー分布及び前記設定処理により設定された所望の分光エネルギー分布を用いて仮想的なカラー変換フィルタを算出する仮想フィルタ算出処理と、
前記仮想フィルタ算出処理により算出された仮想的なカラー変換フィルタに基づいて、前記撮像処理により撮像された被写体の撮像信号の利得を制御することによりホワイトバランスを行う処理と、
を含み、上記各処理をコンピュータで実行させることを特徴とする。
【００４４】
上記目的達成のため、請求項３０記載の発明によるプログラムは、被写体を撮像する撮像処理と、
ホワイトバランスを調整させるための情報を表示させる表示仕様を設定する仕様設定処理と、
前記仕様設定処理により設定された表示仕様にしたがってホワイトバランスを設定させるための情報及び前記撮像処理により撮像された被写体の画像を表示手段に表示させる処理と、
を含み、上記各処理をコンピュータで実行させることを特徴とする。
【発明の効果】
【００４５】
請求項１記載の発明によれば、光源の分光分布特性を計測する分光手段を設けて、その光源光のエネルギー量の分光分布から色温度を求めるので、高精度な色温度に基づき精密なＷＢを行うことができる。
また、光源毎の識別手段や色温度検出手段等を個々に設ける必要もなく、３波長型蛍光灯など多様な光源や複数光源が混在した場合でもそのまま対応することができる。
【００４６】
請求項２記載の発明によれば、高速ホワイトバランス処理を行うか否かを判断し、高速でホワイトバランス処理を行うと判断すると、波長間隔、分解能が粗い分光エネルギー分布を取得して、ホワイトバランスの制御を行うので、高速にホワイトバランス処理を行うことができる。
請求項３記載の発明によれば、高速でホワイトバランス処理を行わないと判断すると、波長間隔、分解能が細かい分光エネルギー分布を取得して、ホワイトバランスの制御を行うので、高精度なホワイトバランス処理を行うことができる。
請求項４記載の発明によれば、連写静止画撮影、動画撮影を行うと判断すると、高速でホワイトバランスを行うと判断するので、連続的、高速に色温度を計測してホワイトバランス処理を行うことができる。
【００４７】
請求項５記載の発明によれば、波長間隔、分解能が粗い分光エネルギー分布から粗い色温度を求め、該求めた粗い色温度が所定値より小さいか否かを判断し、小さいくないと判断した場合には、該粗い色温度に基づいてホワイトバランスを行うようにしたので、色温度が所定値より大きい場合には、高速にホワイトバランスを行うことができる。
請求項６記載の発明によれば、該求めた粗い色温度が所定値より小さい場合には、波長間隔、分解能が細かい分光エネルギー分布に基づいてホワイトバランスを行うので、高精度なホワイトバランスを行うことができる。
【００４８】
請求項７記載の発明によれば、ユーザによって入力されたホワイトバランスの条件を設定し、該設定したホワイトバランスの条件にしたがって、ホワイトバランスを行うので、ユーザが入力したホワイトバランスとなる画像を得ることができる。
【００４９】
請求項８乃至１０記載の発明によれば、ホワイトバランスの条件は、色度座標、色温度を含み、撮像信号の色度座標や色温度がユーザによって入力された具体的な色度座標、色温度となるようにホワイトバランスを行うので、ユーザが所望する色度座標、色温度となる画像を得ることができる。
【００５０】
請求項１１記載の発明によれば、連続して被写体を撮影する連続撮影制御手段を備えたので、一度の撮影で複数の画像を得ることができる。
請求項１２記載の発明によれば、連続撮影制御手段により被写体の撮影を制御する度に、異なるホワイトバランスの条件を設定し、該設定されたホワイトバランスの条件にしたがってホワイトバランスを行うでの、撮影ごとに撮影条件を変えて撮影しなくても、ホワイトバランスの異なる画像を一度に複数撮影することができ、所望の画像を得る可能性が高くなる。
【００５１】
請求項１３又は１４記載の発明によれば、ユーザがブラケティングさせるホワイトバランスの条件の補正間隔等を入力するための補正間隔入力手段を備え、連続撮影制御手段により被写体の撮影を制御するごとに、前記補正間隔入力手段により入力された補正間隔等にしたがって、ホワイトバランスの条件を設定するので、ホワイトバランスが微妙に異なる複数の画像を得ることができ、所望のホワイトバランスを有する画像を得る確立が更に高くなり、シャッタチャンスを逃すことがない。
また、ホワイトバランスが微妙に異なる複数の画像を得ることができるので、ユーザの作画表現を簡単に行うことができる。
【００５２】
請求項１５乃至１７記載の発明によれば、光源の分光分布特性を計測する分光手段を設けて、その光源光の分光エネルギー分布とユーザによって設定された所望の分光エネルギー分布とを用いて、仮想的なカラー変換フィルタを算出し、該算出された仮想的なカラー変換フィルタを用いてホワイトバランスを行うので、光源毎の識別手段や色温度検出手段等を個々に設ける必要もなく、３波長型蛍光灯など多様な光源や複数光源が混在した場合でもそのまま対応することができる。
【００５３】
請求項１８記載の発明によれば、複数の表示仕様の中からユーザによって選択された表示仕様を表示仕様として設定し、該設定された表示仕様にしたがって、撮像された画像、ホワイトバランスを設定させるための情報を表示手段に表示させるようにしたので、ユーザは自分にあった表示仕様を選択することにより、適切なホワイトバランスの調整を行うことができる。
【００５４】
請求項１９記載の発明によれば、表示仕様は、少なくともビギナー仕様、プロ仕様を含むので、ユーザが初心者の場合には、簡単なホワイトバランスを調整するための情報を表示させ、ユーザが熟練者の場合には、熟練者用のホワイトバランスを調整させるための表示させることができる。
請求項２０記載の発明によれば、ホワイトバランスの調整が行われるごとに、ホワイトバランスの説明文を表示させるので、初心者でもわかり易く、取扱説明書を参照しなくても、簡易に適切なホワイトバランスの設定を行うことができる。
請求項２１記載の発明によれば、ホワイトバランスを調整させるためのＷＢバーを表示させるので、現在のホワイトバランスの状態、などを簡易に知ることができる。
【００５５】
請求項２２記載の発明によれば、ＷＢバーの調整部が調整された場合には、ホワイトバランスの説明文を表示させるので、初心者でもわかり易く、取扱説明書を参照しなくても、簡易に適切なホワイトバランスの設定を行うことができる。
請求項２３記載の発明によれば、説明文の他に、ホワイトバランス調整後のサンプル画像を表示させるので、サンプル画像を見ることにより具体的にどのようにホワイトバランスが行われるのかを視認することができる。
【００５６】
請求項２４又は２５記載の発明によれば、ホワイトバランスを調整させるための情報として、光源の分光エネルギー分布、又は、色度図及び該色度図上に色度座標や黒体輻射軌跡を表示させるので、設定の誤解や間違いがなく、また、上級者には豊富で直接的な情報を提供することができ、より精密、精確なホワイトバランスの調整を行うことができる。
【００５７】
請求項２６記載の発明によれば、ユーザが表示仕様を切り替えるための切替手段を備えたので、ユーザが随時、自分にあった表示仕様に切り替えることができ、自分に必要な情報を得ることができる。
【００５８】
請求項２７乃至３０記載の発明によれば、デジタルカメラ、パソコン等の本発明の構成を有する装置に読み込ませることにより、本発明の撮像装置を実現することができる。
【発明を実施するための最良の形態】
【００５９】
以下、本実施の形態について、図面を参照して詳細に説明する。
[第１の実施の形態]
Ａ．デジタルカメラの構成
図１は、本発明の撮像装置を実現するデジタルカメラ１の電気的な概略構成を示すブロック図である。
デジタルカメラ１は、撮像レンズ２、駆動回路３、絞り兼用シャッタ４、垂直ドライバ５、ＴＧ（timing generator）６、ＣＣＤ７、サンプルホールド回路８、アナログデジタル変換器９、色分離回路１０、利得調整部１１、画像信号処理部１２、メモリ１３、制御回路１４、表示部１５、キー入力部１６、プリズム回折格子１７、センサアレイ１８、ドライバー・アンプ１９、アナログデジタル変換器２０、エネルギー分布表メモリ２１、刺激値演算部２２、ＲＯＭ２３、色度座標演算部２４、色温度演算部２５、ホワイトバランス制御部２６、色度座標・色温度情報メモリ２７から構成されている。
【００６０】
制御回路１４は、デジタルカメラ１の各部を制御するワンチップマイコンである。
撮像レンズ２は、複数のレンズ群から構成されるフォーカスレンズ２ａ、ズームレンズ２ｂ等を含む。そして、撮像レンズ２には、駆動回路３が接続されており、駆動回路３は、制御回路１４から送られてくる制御信号にしたがって、フォーカスレンズ２ａ、ズームレンズ２ｂを光軸方向に移動させる。
【００６１】
また、駆動回路３は、制御回路１４から送られてくる制御信号にしたがって、絞り兼用シャッタを動作させ、つまり、絞りとシャッタ速度を調節して、撮像レンズを介して入射される光の量を制御する。
絞りとは、撮像レンズ２から入射してくる光の量を制限する機構のことをいい、シャッタ速度とは、時間によってＣＣＤ７に当てる光の量を制限する機構のことをいう。
【００６２】
ＣＣＤ７は、垂直ドライバ５、ＴＧ６によって走査駆動され、一定周期毎に結像した被写体像のＲＧＢ値の各色の光の強さを光電変換し、サンプルホールド回路８に出力する。
サンプルホールド回路８は、ＣＣＤ７から送られてきたアナログ信号をＣＣＤ７の解像度に適合した周波数でサンプリング（例えば、相関二重サンプリング）してアナログデジタル変換器９に出力する。なお、サンプリング後に自動利得調整（ＡＧＣ）を行うこともある。
アナログデジタル変換回路９は、サンプリングされたアナログ信号をデジタル信号に変換して色分離回路１０に出力する。
【００６３】
色分離回路１０は、ＲＧＢデータを分離して、Ｒ成分のデータを利得調整部１１ｒに、Ｇ成分のデータを利得調整部１１ｇに、Ｂ成分のデータを利得調整部１１ｂにそれぞれ出力する。
利得調整部１１は、色分離回路から送られてきたそれぞれの、Ｒ・Ｇ・Ｂデータを、ホワイトバランス制御部２６から送られてきた制御信号にしたがって、それぞれの利得を調整し、画像信号処理部１２に出力する。
画像信号処理部は、画素補間処理、γ補正処理等を含むカラープロセス処理を行い、ＲＧＢデータから輝度・色差マルチプレクス信号（以下、ＹＵＶ信号という）を生成する。
【００６４】
メモリ１３は、ＤＲＡＭやＲＯＭ、フラッシュメモリを含む。ＤＲＡＭは、ＣＣＤ７によって撮像された後、デジタル化された被写体の画像データを一時記憶するバッファメモリとして使用されるとともに、制御回路１４のワーキングメモリとしても使用され、ＲＯＭは、制御回路１４の制御に必要なデータ、プログラム等が格納されている。また、フラッシュメモリは、撮影された画像データを記録する画像メモリである。
【００６５】
表示部１５はカラーＬＣＤとその駆動回路を含み、撮影待機状態にあるときにはＣＣＤ２によって撮像された被写体をスルー画像として表示し、記録画像の再生時には、フラッシュメモリから読み出され伸張された記録画像を表示する。また、色度座標や分光分布特性グラフや黒体輻射軌跡を示した図などを表示させる。この表示部１５は、本発明の表示手段に相当する。
キー入力部１６は、シャッタボタン、ブラケット撮影ボタン、実行キー、キャンセルキー、十字キー、モードキー、ＤＩＳＰキー、Ｓｈｉｆｔキー、詳細ボタン等の複数の操作キーを含み、ユーザのキー操作に応じた操作信号を制御回路１４に出力する。このキー入力部１６は、補正間隔入力手段、設定手段、切替手段として機能する。
【００６６】
プリズム回折格子１７は、入射された光を波長帯毎に分光してセンサアレイ１８に入射する。このプリズム回折格子１７は、本発明の分光手段に相当する。
センサアレイ１８は、ドライバー・アンプ１９によって駆動され、入射された波長帯毎に分光された光を一定周期毎に光電変換しドライバー・アンプ１９に出力する。
ドライバー・アンプ１９は、該光電変換された波長毎のアナログ信号を増幅し、アナログデジタル変換器２０に出力する。
アナログデジタル変換器２０は、入力されたアナログ信号をデジタル変換して、分光エネルギー分布Ｌ（λｉ）を取得し、該取得した分光エネルギー分布の表データをエネルギー分布表メモリ２１に記憶する。
【００６７】
ＲＯＭ２３には、ＲＧＢ表色系の等色関数（λｉ）、（λｉ）、（λｉ）が記録されている。
刺激値演算部２２は、ＲＯＭ２３に記録されている等色関数（λｉ）、（λｉ）、（λｉ）及びエネルギー分布表メモリ２１に記憶されている分光エネルギー分布Ｌ（λi）を読み出し（分光取得手段）、該読み出した等色関数と分光エネルギー分布Ｌ（λｉ）とを乗算し、各波長毎（λｉ）の乗算結果を波長領域のｎ帯域（ｉ＝０〜ｎ−１）全体で総和して３刺激値Ｒ、Ｇ、Ｂを算出する。
【００６８】
具体的には、３刺激値Ｒ、Ｇ、Ｂは数１又は数２にしたがって求めることができる。数２は、数１のｎ→∞としたときの式である。但し、積分（∫ＶＩＳ）は可視波長領域で取るものとする。
【００６９】
【数１】
2006054678.tif 000003
【００７０】
【数２】
2006054678.tif 000004
【００７１】
そして、刺激値演算部２２は、該算出した３刺激値Ｒ、Ｇ、ＢからＸＹＺ表色系の３刺激値Ｘ、Ｙ、Ｚに変換を行う。この変換は数３にしたがって行う。なお、ＲＯＭ２３にＸＹＺ表色系に基づく等色関数（λｉ）、（λｉ）、（λｉ））を予め記録させておき、３刺激値ＸＹＺを直接求めるようにしてもよい。
【００７２】
【数３】
2006054678.tif 000005
【００７３】
刺激値演算部２２は、ＸＹＺ表色系の３刺激値Ｘ、Ｙ、Ｚの算出を行うと、該算出した３刺激値Ｘ、Ｙ、Ｚを色度座標演算部２４に出力する。
色度座標演算部２４は、入力された３刺激値から色度座標（ｘ、ｙ、ｚ）を数４にしたがって求める。
【００７４】
【数４】
2006054678.tif 000006
【００７５】
色度座標演算部２４は、色度座標（ｘ、ｙ、ｚ）を算出すると、該算出した色度座標の値を色温度演算部２５に出力する。また、該算出した色度座標の値を色度座標・色温度情報メモリ２７に記憶させる。
色温度演算部２５は、該入力された色度座標から色温度Ｔａ、及び、黒体輻射軌跡との偏差Δｕｖ等を求める（色温度算出手段）。ここで、ホワイトバランス制御に用いられる色温度Ｔａは、黒体の輻射時の温度と波長の関係を指標として、色度を黒体放射軌跡の色度座標に相当する相関色温度（単位：Ｋ、ケルビン）で表したものである。
【００７６】
色度座標から色温度Ｔａの算出方法について述べる。
まず、プランクの放射則によれば、黒体輻射の放射エネルギー・スペクトルｅ（λ，Ｔ）は、数５によって求めることができ、この数式を用いることにより、黒体輻射の各温度での波長毎の分光エネルギーを求めることができる。
但し、λ：光の波長、Ｔ：放射体の絶対温度、ｈ：プランク定数、ｋ：ボルツマン定数、ｃ：真空中の光速、とする。
【００７７】
【数５】
2006054678.tif 000007
【００７８】
そして、上述したように該波長毎の分光エネルギーと該波長の等色関数を乗算して得られた結果を、可視光領域の全体で総計（加算）して３刺激値を求め、色度座標が求まる。この方法によれば、色温度Ｔａに対応する色度座標を求めることができるわけであり、逆算を行うことにより色度座標から色温度Ｔａを求めることができる。
また、図２に示すように、色度座標（ｘ、ｙ、ｚ）と色温度Ｔａの換算テーブルを予め色温度演算部２５に記録させておき、この換算テーブルを用いて、色度座標に該当する色温度Ｔａを求めるようにしてもよい。
なお、ここでは、求めた色温度Ｔａを６５００Ｋとし、偏差Δｕｖの求めかたは周知技術なので、ここでは説明を省略する。
【００７９】
そして、色温度演算部２５は、色温度Ｔａを求めると、該色温度Ｔａの値をホワイトバランス制御部２６に出力し、色度座標・色温度情報メモリ２７に該色温度Ｔａ及び偏差Δｕｖを記憶させる。
制御回路１４は、色度座標・色温度情報メモリ２７に記憶されている偏差ΔｕｖがＲＯＭ２３に記録されている閾値より小さいか否かを判断し、小さいと判断すると許容範囲内と判断し、ホワイトバランス制御部２６にホワイトバランスの制御を行う旨の制御信号を送る。
一方、制御回路１４は、偏差ΔｕｖがＲＯＭ２３に記録されている閾値より大きいと判断した場合は、許容範囲外であると判断し、色温度測定のエラー処理を行う。
【００８０】
ホワイトバランス制御部２６は、制御回路１４からホワイトバランスの制御を行う旨の制御信号を受け取ると、利得調整部１１を制御することによりホワイトバランスを行う（ホワイトバランス制御手段）。このホワイトバランスを行う方法は多種あるが、より精密な色温度Ｔａの計測値に基づいてホワイトバランスを制御するには、色温度ＴａとＲＧＢ成分の相対強度との特性データから求めた色温度Ｔａに該当するＲＧＢ信号の利得制御量を相対強度の逆数から求めて、利得調整部１１を制御することにより、ホワイトバランスを行う。
図３は、色温度ＴａとＲＧＢ成分の相対強度（５０００Ｋを基準とした場合）を示したものである。現在の色温度Ｔａは、図に示すように６５００Ｋであり、ＲＧＢ成分のそれぞれの相対強度は、１．１４、１．００、０．７６であることがわかる。
【００８１】
図４は、色温度６５００Ｋを色温度５０００Ｋとなるように、利得調整部１１を制御するときの様子を示したものである。
色温度演算部２５が、検出した色温度６５００Ｋをホワイトバランス制御部２６に出力すると、ホワイトバランス制御部２６は、Ｒ成分、Ｇ成分、Ｂ成分のそれぞれの相対強度の逆数（Ｒ成分；１／０．７６、Ｇ成分；１、Ｂ成分；１／１．１４）に相当する利得制御量となるように利得調整部１１ｒ、１１ｇ、１１ｂを制御する。
そして、ＣＣＤ７によって撮像されたＲＧＢ成分は、色分離回路１０によってＲ成分、Ｇ成分、Ｂ成分に分離され、Ｒ成分は利得調整部１１ｒで１／０．７６倍に増幅され、Ｇ成分は利得調整部１１ｇで１倍に増幅され、Ｂ成分は利得調整部１１ｂで１／１．１４倍に増幅され、それぞれのＲＧＢ成分が画像信号処理部１２に送られる。
なお、求めた色度座標を元にホワイトバランスを行うようにしてもよい。
【００８２】
Ｂ．デジタルカメラ１の動作
第１の実施の形態におけるデジタルカメラ１の動作を図５のフローチャートにしたがって説明する。
測光処理を行い（ステップＳ１）、プリズム回折格子１７によって波長毎に分光された光をセンサアレイ１８、ドライバー・アンプ１９により受光されたアナログ信号をアナログデジタル変換器２０でデジタル信号に変換して、光源光の分光エネルギー分布Ｌ（λｉ）を取得し、該取得した光源光の分光エネルギー分布の表データをエネルギー分布表メモリ２１に記憶する（ステップＳ２）。
ここで、図６（ａ）は、プリズム回折格子１８を介してセンサアレイ１９等に入射される波長毎の分光エネルギー分布Ｌ（λｉ）の例を表したものであり、図６（ｂ）は、エネルギー分布表メモリに記憶される分光エネルギー分布表の例を示したものである。
【００８３】
波長別の分光エネルギー分布表Ｌ（λｉ）の取得を行うと、取得した分光エネルギー分布Ｌ（λｉ）とＲＯＭ２３に記録されているＲＧＢ表色系の等色関数（λｉ）、（λｉ）、（λｉ）から３刺激値Ｒ、Ｇ、Ｂの算出を行う（ステップＳ３）。この算出は、等色関数（λｉ）、（λｉ）、（λｉ）とエネルギー分布表メモリに記憶されている分光エネルギー分布Ｌ（λｉ）とを乗算し、各波長毎（λｉ）の乗算結果を波長領域のｎ帯域（ｉ＝０〜ｎ−１）全体で総和して３刺激値Ｒ、Ｇ、Ｂを算出する。
【００８４】
具体的には、数１又は数２にしたがって３刺激値Ｒ、Ｇ、Ｂを算出することができる。
図７（ｃ）は、ＲＧＢ表色系の等色関数（λｉ）、（λｉ）、（λｉ）を示したものであり、ＲＯＭ２３には、図７（ｄ）に示すような等色関数表のデータが記録されている。
【００８５】
次いで、３刺激値ＲＧＢの算出を行うと、ＲＧＢ表色系の３刺激値Ｒ、Ｇ、ＢをＸＹＺ表色系の３刺激値Ｘ、Ｙ、Ｚに変換する（ステップＳ４）。この変換は、数３にしたがって行うことができる。
なお、ＲＯＭ２３に、予めＸＹＺ表色系の等色関数（λｉ）、（λｉ）、（λｉ）を記録しておき、分光エネルギー分布Ｌ（λｉ）とＸＹＺ表色系の等色関数（λｉ）、（λｉ）、（λｉ）とから直接ＸＹＺ表色系の３刺激値Ｘ、Ｙ、Ｚを算出するようにしてもよい。
図８（ｅ）は、ＸＹＺ表色系の等色関数（λｉ）、（λｉ）、（λｉ）を示したものであり、ＲＯＭ２３には、図８（ｆ）にしめすような等色関数表データを記録しておく。
【００８６】
次いで、算出した３刺激値Ｘ、Ｙ、Ｚから色度座標（ｘ、ｙ、ｚ）を数４にしたがって算出する（ステップＳ５）。
次いで、色度座標（ｘ、ｙ、ｚ）から色温度Ｔａ、黒体輻射軌跡との偏差Δｕｖの算出を行う（ステップＳ６）。この算出方法としては、上述したプランクの放射則により黒体輻射の各温度での波長毎の分光エネルギーを求め、波長毎の分光エネルギーと当該波長毎の等色関数とを乗算した結果を、可視光領域全体で総計（加算）して３刺激値を求めてから、色度座標を算出することにより色温度に該当する色度座標を求めるという方法を逆算することにより色度座標に該当する色温度Ｔａを算出することができる。ここでは、求めた色温度Ｔａは６５００Ｋ（ケルビン）とする。なお、色温度の単位は、ＭＩＲＥＤやＬＢ指数等のほかの単位であってもよい。
また、図２に示すような色温度と色度座標の換算テーブルを予め色温度演算部２７に記録しておくことにより、この色温度と色度座標の換算テーブルを用いて色度座標から色温度Ｔａを求めるようにしてもよい。
なお、偏差Δｕｖの算出方法は周知技術なのでここでは説明を省略する。
【００８７】
次いで、求めた偏差Δｕｖが許容範囲内であるか否かの判断を行う（ステップＳ７）。この判断は、予めＲＯＭ２３に記録されている閾値より小さいか否かを判断し、小さい場合は許容範囲内であると判断し、大きい場合は許容範囲外であると判断する。
許容範囲外であると判断すると、色温度の測定が失敗した旨を報知するエラー表示を行う。
【００８８】
一方、許容範囲内であると判断すると、色温度や色度座標を元に、撮像信号のホワイトバランスの制御を行う（ステップＳ８）。
このホワイトバランスの制御の方法は多種あるが、より精密な色温度Ｔａの計測値に基づいてホワイトバランスを制御するには、色温度ＴａとＲＧＢ成分の相対強度との特性データから求めた色温度Ｔａに該当するＲＧＢ信号の利得制御量を相対強度の逆数から求めて、利得調整部１１を制御することにより、ホワイトバランスを行う。
【００８９】
以上のように、第１の実施の形態においては、光源の分光分布特性を計測する分光手段を設けて、光源光のエネルギー量の分光分布と、等色関数とから３刺激値を算出し、該算出した３刺激値から色度座標を算出し、該算出した色度座標から色温度を求めるので、高精度な色温度に基づき精密なＷＢを行うことができる。
また、光源毎の識別手段や色温度検出手段等を個々に設ける必要もなく、３波長型蛍光灯など多様な光源や複数光源が混在した場合でもそのまま対応することができる。
また、色度座標や色温度を求めてホワイトバランスを行うので、蛍光灯などの光源でも、ケルビンやＭＩＲＥＤ、ＬＢ指数など、具体的な色温度単位や、色度座標で指定したＷＢ設定やＷＢブラケティング撮影なども可能となる。つまり、ユーザが具体的な色度座標、色温度を入力したり選択したりすると、該入力、選択された色度座標、色温度となるようにホワイトバランスを行うことが可能となる。
【００９０】
なお、第１の実施の形態においては、ＸＹＺ表色系の３刺激値ＸＹＺから色度座標を算出するようにしたが、ＸＹＺ表色系の３刺激値ＸＹＺを求めることなく、そのまま、ＲＧＢ表色系の３刺激値ＲＧＢから色度座標を求めるようにしてもよい。
また、明所視での比視感度特性に基づく等色関数に替えて、暗所視や色弱者の比視感度特性に基づく等色関数に設定して、それらの場合の刺激値や色度座標、色温度を算出するようにしてもよい。
【００９１】
また、分光部をプリズム回折格子１７で説明したが、反射型や凹面鏡型の回折格子などの他の光学的分光手段や分光手段を用いるようにしてもよい。
また、センサアレイ１８は、特許第２５３２２５５号に記載されたような分光光度計用のフォトダイオード・アレイ等で構成してもよい。また、カメラ測距センサや合焦検出センサ、測光センサ等に用いられるライン型イメージセンサやフォトセンサなどで構成するようにしてもよいし、それらと兼用して構成してもよい。
【００９２】
また、ユーザによってホワイトバランス設定モードを設けて、ユーザによって入力された色度座標、色温度等に基づいてホワイトバランスの調整を行うようにしてもよい。この場合には、上述したようにホワイトバランスが行なわれた後の、利得調整部１１から出力される撮像信号から分光エネルギー分布を求め、該求めた分光エネルギー分布から上述したように色度座標（撮像信号の色度座標）を求め、該求めた撮像信号の色度座標がユーザによって入力された色度座標となるように利得調整部１１を制御することによりホワイトバランスを行う。
また、ユーザによって色温度が入力された場合には、撮像信号の色度座標から上述したように色温度を求め、該求めた撮像信号の色温後が該ユーザによって入力された色温度となるように利得調整部１１を制御することによりホワイトバランスを行う。
【００９３】
次に、第1の実施の形態の変形例について説明する。
高速連写機能など、計測所要時間や撮影時間間隔を短くする場合にも連続的に色温度を計測し自動ＷＢ制御をできるようにするというものである。
【００９４】
［変形例１］
Ｃ．デジタルカメラ１の動作
以下、変形例１におけるデジタルカメラ１の動作を図９のフローチャートにしたがって説明する。
ステップＳ２１で、高速ホワイトバランス処理を行うか否かを判断する（第１の判断手段）。この判断は、ユーザのキー入力部１６の操作により、高速連写モードや、動画撮影モードに設定された場合等、高速ホワイトバランス処理が必要なモードに設定されている場合には、高速ホワイトバランス処理を行うと判断する。
【００９５】
高速ホワイトバランス処理を行うと判断すると、計測波長間隔、分解能を荒く設定する（ステップＳ２２）。
通常ならば分光部やセンサアレイの分解能は、波長約５〜１０ｎｍ単位毎とし、これを可視光の約３７０〜７８０ｎｍにわたる計４０〜８０帯域以上の分光分布データを検出できるように構成するのが望ましいが、高速連写機能など、計測所要時間や撮影時間間隔を短くする場合にも連続的に色温度を計測し自動ＷＢ制御をできるようにするために、高速ホワイトバランス処理を行うと判断すると、センサアレイ１８の分割数や分解能や読み出し波長間隔を、例えば、２０〜５０ｎｍ単位毎に荒く設定する。
【００９６】
次いで、測光処理を行い（ステップＳ２３）、ステップＳ２２で設定された粗い波長単位毎となるようにセンサアレイ１８を間引いて読み出したり、粗い波長単位毎（例えば、２０〜３０ｎｍ単位毎）で分光計測したりして、粗い刻みの分光エネルギー分布Ｌ´（λｉ）を取得し、該取得した粗い刻みの分光エネルギー分布の表データをエネルギー分布表メモリ２１に記憶する（ステップＳ２４）。
次いで、エネルギー分布表メモリ２１に記憶されている粗い刻みの分光エネルギー分布Ｌ´（λｉ）から粗い精度の３刺激値を算出する（ステップＳ２５）。
【００９７】
一方、高速ホワイトバランス処理を行わないと判断すると、計測波長間隔、分解能を細かく設定する（ステップＳ２６）。つまり、センサアレイの分割数や分解能や読み出し波長間隔を５〜１０ｎｍ単位毎に細かく設定する。言い換えれば、通常の波長間隔、分解能に設定する。
次いで、測光処理を行い（ステップＳ２７）、ステップ２６で設定された細かい刻みの（通常の）分光エネルギー分布Ｌ（λｉ）を取得し、該取得した細かい刻みの分光エネルギー分布の表データをエネルギー分布表メモリ２１に記憶する（ステップＳ２８）。
次いで、分光エネルギー分布表メモリ２１に記憶されている細かい刻みの（通常の）分光エネルギー分布Ｌ（λｉ）から高い精度の３刺激値を算出する（ステップＳ２９）。
【００９８】
ステップＳ２５又はステップＳ２９で３刺激値を算出すると、該算出した３刺激値から色度座標を算出する（ステップＳ３０）。
次いで、該算出した色度座標から色温度を求め（ステップＳ３１）、該求めた色温度を元に、利得調整部１１を制御することにより、ホワイトバランスを行う（ステップＳ３２）。
以上のように、変形例１では、高速ホワイトバランス処理を行うか否かを判断し、高速ホワイトバランス処理を行うと判断すると、波長間隔、分解能を荒く設定してホワイトバランスの制御を行うので、高速にホワイトバランス処理を行うことができる。
なお、スルー画像表示中の場合にも高速ホワイトバランスを行うと判断するようにしてもよい。
【００９９】
［変形例２］
Ｄ．デジタルカメラ１の動作
以下、変形例２におけるデジタルカメラ１の動作を図１０のフローチャートにしたがって説明する。
ステップＳ５１で、計測波長間隔、分解能を荒く設定する。例えば、センサアレイの分割数や分解能や読み出し波長間隔を２０〜５０ｎｍ単位毎に荒く設定する。
【０１００】
次いで、測光処理を行い（ステップＳ５２）、ステップＳ５１で設定された粗い波長単位毎となるようにセンサアレイ１８を間引いて読み出したり、粗い波長単位毎（例えば、２０〜５０ｎｍ単位毎）で分光計測したりして、粗い刻みのエネルギー分布Ｌ´（λｉ）を取得し、該取得した粗い刻みの分光エネルギー分布の表データをエネルギー分布表メモリ２１に記憶する（ステップＳ５３）。
次いで、エネルギー分布表メモリ２１に記憶されている粗い刻みの分光エネルギー分布Ｌ´（λｉ）から粗い精度の３刺激値を算出する（ステップＳ５４）。
【０１０１】
次いで、該算出した３刺激値から色度座標を算出し（ステップＳ５５）、該算出した色度座標から精度の粗い色温度を求める（ステップＳ５６）。
次いで、該求めた色温度が予めＲＯＭ２３等に記録されている所定値より小さいか否かの判断を制御回路１４が行う（ステップＳ５７）。この機能は、本発明の第２の判断手段に相当する。
【０１０２】
ステップＳ５６で求めた色温度が所定値より小さくない、つまり、大きいと判断すると（ステップＳ５７でＮに分岐）、ステップＳ５６で求められた精度の粗い色温度を元に、利得調整部１１を制御することにより、ホワイトバランスを行う（ステップＳ６４）。
色温度が５０００Ｋ以上など高い場合には、色温度が多少変わっても視覚に感じられる色の変化は少ないので、粗い波長単位毎から求めた色温度でも十分だからである。
【０１０３】
一方、ステップＳ５６で求めた色温度が所定値より小さいと判断すると（ステップＳ５７でＹに分岐）、計測波長間隔、分解能を細かく設定する（ステップＳ５８）。つまり、センサアレイの分割数や分解能や読み出し波長間隔を５〜１０ｎｍ単位毎に細かく設定する。言い換えれば、通常の波長間隔、分解能に設定する。
【０１０４】
次いで、測光処理を行い（ステップＳ５９）、ステップ２６で設定された細かい刻みの（通常の）分光エネルギー分布Ｌ（λｉ）を取得し、該取得した細かい刻みの分光エネルギー分布の表データをエネルギー分布表メモリ２１に記憶する（ステップＳ６０）。
次いで、分光エネルギー分布表メモリ２１に記憶されている細かい刻みの（通常の）分光エネルギー分布Ｌ（λｉ）から高い精度の３刺激値を算出する（ステップＳ６１）。
【０１０５】
次いで、ステップＳ６１で算出した３刺激値から色度座標を算出し（ステップＳ６２）、該算出した色度座標から精度の高い色温度を求める（ステップＳ６３）。
次いで、ステップＳ６４に進み、ステップＳ６３で求めた色温度を元に、利得調整部１１を制御することにより、ホワイトバランスを行う。
色温度が２０００Ｋ〜３０００Ｋと低くなると、色温度の変化による感じる色の変化が大きくなるからである。したがって、粗い刻みの波長間隔では、適切なホワイトバランスの処理を行うことができないので、細かい刻み（通常の）波長間隔から色温度を求めてから、ホワイトバランスの制御を行う必要があるからである。
以上のように変形例２では、まず、波長間隔、分解能を荒く設定して色温度を求め、該求めた色温度が所定値より大きければ、該求めた色温度を元にホワイトバランス制御を行うでの、高速にホワイトバランス制御を行うことができる。
【０１０６】
［第２の実施の形態］
次に、第２の実施の形態について説明する。
第２の実施の形態は、ユーザによって設定された撮影条件にしたがってＷＢブラケット撮影を行うというものである。
【０１０７】
Ｅ．デジタルカメラ１の構成
第２の実施の形態も、図１に示したものと同様の構成を有するデジタルカメラ１を用いることにより本発明の撮像装置を実現する。
まず、第２の実施の形態のデジタルカメラ１における、特徴となる構成の機能について説明する。
【０１０８】
制御回路１４は、ユーザのキー入力部９の操作によりＷＢブラケット設定モードに設定され、ブラケット撮影用の撮影条件である補正間隔、補正順序、補正枚数が入力されると、該入力されたブラケット撮影の撮影条件の設定を行う。
ここで、補正間隔とは、ブラケット撮影でブラケティングされていくホワイトバランスの条件（色度座標、色温度など）の間隔のことをいう。例えば、色度座標（ｘ、ｙ）をブラケティングさせていくことにより、ＷＢブラケット撮影を行う場合は、補正間隔が（Δｘ、Δｙ）となる。また、ケルビン、ミレッド、ＬＢ指数などの色温度をブラケティングさせていくことにより、ＷＢブラケット撮影を行う場合には、補正間隔がΔＫ（ケルビン）、ΔＭ（Ｍｉｒｅｄ）、ΔＬＢ（ＬＢ指数）等となる。ΔＫが２００Ｋの場合には、色温度を２００Ｋずつブラケティングさせて被写体を撮影することとなる。
【０１０９】
また、補正順序には、上り方向（＋方向）、下り方向（−方向）、０＋−順、０−＋順などがある。例えば、０を補正のない初期の被写界深度条件とすれば、上り方向（＋方向）の場合は、・・→（−２補正間隔）→（−１補正間隔）→（０、補正なし）→（＋１補正間隔）→（＋２補正間隔）→・・の順となり、下り方向（−方向）の場合は、・・→（＋２補正間隔）→（＋１補正間隔）→（０、補正なし）→（−１補正間隔）→（−２補正間隔）→・・の順となる。
また、０＋−順の場合は、（０、補正なし）→（＋１補正間隔）→（＋２補正間隔）→・・→（−１補正間隔）→（−２補正間隔）→・・・の順となり、０−＋順の場合は、（０、補正なし）→（−１補正間隔）→（−２補正間隔）→・・→（＋１補正間隔）→（＋２補正間隔）→・・の順となる。
また、補正枚数とは、ブラケット撮影により一度に連続撮影する回数のことをいう。
【０１１０】
例えば、現在の色温度がＭ（Ｍｉｒｅｄ）の場合に、ユーザによって補正間隔（ΔＭ）、補正順序（上り順）、補正枚数（５枚）と設定された場合には、ブラケティング撮影する１枚目の画像は、色温度が（Ｍ−２ΔＭ）となるように利得調整部１１を制御することによりホワイトバランスを行って撮影を行う。そして、２枚目の画像は、色温度が（Ｍ−ΔＭ）となるように利得調整部１１を制御することによりホワイトバランスを行って撮影を行う。同様に３枚目は色温度が（Ｍ）となり、４枚目は色温度が（Ｍ＋ΔＭ）、５枚目は色温度が（Ｍ＋２ΔＭ）となるような利得調整部１１を制御することによりホワイトバランスを行って被写体の連続撮影を行う。
このブラケット撮影により被写体を連続して撮影する機能は、本発明の連続撮影制御手段に相当する。
【０１１１】
Ｆ．デジタルカメラ１の動作
第２の実施の形態におけるデジタルカメラ１の動作を図１１〜図１４に示すフローチャートにしたがって説明する。
【０１１２】
ユーザのキー入力部９の操作によりモードが設定されると、設定されたモードが撮影モードであるか否かを判断する（ステップＳ１０１）。
撮影モードでない場合は、現在設定されたモードが設定モードであるか否かを判断する（ステップＳ１０２）。
【０１１３】
設定モードでない場合は、その他のモード処理を行い、設定モードである場合にはＷＢブラケット設定モードであるか否かを判断する（ステップＳ１０３）。
ＷＢブラケット設定モードでない場合は、その他の設定モードで処理を行い、ＷＢブラケット設定モードである場合には、ユーザによって入力されたブラケット撮影用の撮影条件である色温度の補正間隔ΔＭ、補正順序、補正枚数ｉ（ｉ＝２ｋ＋１）を設定して（ステップＳ１０４）、ステップＳ１０１に戻る。ここで補正間隔（ΔＭ＝２０Ｍｉｒｅｄ）、補正順序を上り順、補正枚数ｉ（ｉ＝２ｋ＋１）を３枚と設定したものとする。また、補正枚数ｉ（ｉ＝２ｋ＋１＝３）であるから、ｋ＝１となる。
【０１１４】
ステップＳ１０１で現在設定されたモードが撮影モードであると判断すると（ステップＳ１０１でＹに分岐）、露出条件などの撮影条件を設定し（ステップＳ１０５）、測光処理を行う（ステップＳ１０６）。
そして、エネルギー分布表メモリ２１に記憶されている光源の分光エネルギー分布Ｌ（λ）から色度座標、色温度を求める（ステップＳ１０７）。この色度座標、色温度の算出方法については第１の実施の形態で述べたとおりである。
そして、該算出した色温度に基づいてホワイトバランス処理を行う（ステップＳ１０８）。なお、光源の分光エネルギー分布又は求めた色度座標に基づいてホワイトバランス処理を行うようにしてもよい。
【０１１５】
そして、ズーム処理、ＡＦ処理などを行い（ステップＳ１０９）、撮影条件などの撮影情報をスルー画像とともに表示部１５に表示させる（ステップＳ１１０）。撮影情報とは、絞り値、シャッタ速度の一般的な撮影条件のほか、現在の色温度、色度座標、黒体複写奇跡、及び色度図などのことをいう。例えば、図２２（ｖ）、図２３（ｘ）に示すような色度図、色度座標や黒体輻射軌跡などを表示させる。
そして、現在撮像している被写体の撮影を行うか否かを判断する（ステップＳ１１１）。この判断は、シャッタボタンの操作、若しくはブラケット撮影ボタンの操作に対応する操作信号がキー入力部９から送られてきたか否かにより判断する。
撮影を行わないと判断すると（ステップＳ１１１でＮＯに分岐）、ステップＳ１２４に進み、その他のキー処理、表示処理などを行う。
【０１１６】
一方、撮影を行うと判断すると（ステップＳ１１１でＹに分岐）、ＷＢブラケット撮影であるか否かを判断する（ステップＳ１１２）。
この判断は、ブラケティング撮影ボタンの操作に対応する操作信号がキー入力部１６から送られてきたか否かにより判断する。なお、静止画撮影用のシャッタボタンとブラケティング撮影ボタンを別個に設けたが、予めユーザがブラケティング撮影を行う旨を指示しておき、シャッタボタンを押下するとブラケティング撮影を行うようにしてもよい。
【０１１７】
ＷＢブラケット撮影でないと判断するとその他の撮影処理を行い、ＷＢブラケット撮影であると判断すると、現在のＷＢ処理により設定されている色温度Ｍ０の算出を行う（補正色温度算出手段）（ステップＳ１１３）。この色温度Ｍ０の算出は、利得調整部１１ｒ、１１ｇ、１１ｂから出力されたＲＧＢ成分から分光エネルギー分布を求め、第１の実施の形態で説明したように分光エネルギー分布から色度座標を求めてから色温度Ｍ０を求める。ここでは、求めた色温度が（Ｍ０＝２００Ｍｉｒｅｄ）であったとする。
【０１１８】
次いで、ユーザによって設定されたブラケット撮影の撮影条件の補正順序が上り順であるか否かを判断する（ステップＳ１１４）。
ここではステップＳ１０４で補正順序を上り順と設定したので、上り順のＷＢの色温度の初期値Ｍ１の設定を行う（ステップＳ１１５）。
ここで、上り順の初期値Ｍ１は、「Ｍ１＝Ｍ０−ｋ・ΔＭ」である。
したがって、ここでは、初期値Ｍ１は、「Ｍ１＝２００−１・２０＝１８０Ｍｉｒｅｄ」となる。但し、Ｍ０＝２００Ｍｉｒｅｄ、ΔＭ＝２０Ｍｉｒｅｄであり、ｋ＝１である。
次いで、撮影順序ｍを「ｍ＝＋１」として設定して（ステップＳ１１６）、ステップＳ１２０に進む。
【０１１９】
一方、ステップＳ１１４で上り順でない場合は、補正順序が下り順であるか否かを判断する（ステップＳ１１７）。
下り順である場合には、下り順のＷＢの色温度の初期値Ｍ１の設定を行う（ステップＳ１１８）。
ここで、下り順の初期値Ｍ１は、「Ｍ１＝Ｍ０＋ｋ・ΔＭ」である。
したがって、この場合には初期値Ｍ１は、「Ｍ１＝２２０Ｍｉｒｅｄ」となる。
次いで、撮影順序ｍを「ｍ＝−１」と設定して（ステップＳ１１９）、ステップＳ１２０に進む。
【０１２０】
ステップＳ１２０に進むと、撮影枚数ｎを「ｎ＝２ｋ＋１」、撮影済枚数ｊを「ｊ＝０」と設定する。ここで、ｋ＝１（ステップＳ５４で補正枚数ｉ（ｉ＝２ｋ＋１＝３枚）と設定しているので）であるから、撮影枚数ｎは「ｎ＝２・１＋１＝３枚」となる。
次いで、ＷＢ補正撮影処理を行う（ステップＳ１２１）。ここで、ＷＢ補正撮影処理の動作を図１４のフローチャートにしたがって説明する。
【０１２１】
ＷＢ補正撮影処理を開始すると、図１４のステップＳ１５１に進み、これからＷＢブラケット撮影により撮影しようとする補正色温度Ｍの設定を行う（設定手段）。この設定される補正色温度Ｍは、「Ｍ＝Ｍ１＋ｍ・ｊ・ΔＭ」である。
したがって、ここでは、補正順序を上り順と設定しているので、「Ｍ１＝１８０Ｍｉｒｅｄ」であることから、補正色温度Ｍは「Ｍ＝１８０Ｍｉｒｅｄ」となる。但し、「ｍ＝＋１」、「ｊ＝０」、「ΔＭ＝２０Ｍｉｒｅｄ」である。
【０１２２】
次いで、ステップＳ１５２で、該設定した色温度Ｍ（＝１８０Ｍｉｒｅｄ）となるように、利得調整部１１を制御することにより、ホワイトバランス処理を行う（ホワイトバランス補正制御手段）。
次いで、設定した撮影条件で被写体を撮影し、撮影した画像データをＤＲＡＭに記憶し（ステップＳ１５３）、ＤＲＡＭに記憶した該画像データをフラッシュメモリに記録する（ステップＳ１５４）。
【０１２３】
画像データをフラッシュメモリに記録すると、図１２のフローチャートのステップＳ１２２に進み、撮影済枚数ｊを「ｊ＝ｊ＋１」と設定する。ここでは、ｊ＝０であったので、新に設定された撮影済枚数ｊは「ｊ＝１」となる。
次いで、撮影済枚数ｊが撮影枚数ｎ以上か否かを判断する（ステップＳ１２３）。ここでは、ｊ＝１であり、ｎ＝３であるので、撮影済枚数ｊは撮影枚数ｎより小さいと判断し、ステップＳ１２１に戻りＷＢ補正撮影処理を行う。
つまり、図１４のステップＳ１５１で補正色温度Ｍを、「Ｍ＝２００Ｍｉｒｅｄ」と設定し（設定手段）、設定した補正色温度Ｍとなるようにホワイトバランス処理を行いってから被写体を撮影し、該撮影した画像データをフラッシュメモリに記録する（ステップＳ１５２〜ステップＳ１５４）。
【０１２４】
そして、図１２のステップＳ１２２に進み、撮影済枚数ｊを「ｊ＝ｊ＋１＝１＋１＝２」と設定し、撮影済枚数ｊ（ｊ＝２）が撮影枚数ｎ（ｎ＝３）以上か否かを判断し、ｊはｎより小さいので、また、ステップＳ１２１に戻る。この動作を撮影済枚数ｊが撮影枚数ｎ以上と判断するまで繰り返す。
このループ（ステップＳ１２１〜ステップＳ１２３）により撮影される画像の色温度は、１枚目が１８０Ｍｉｒｅｄ、２枚目が２００Ｍｉｒｅｄ、３枚目が２２０Ｍｉｒｅｄとなる。
【０１２５】
また、下り順の場合には、このループにより撮影される画像の色温度は、１枚目が２２０Ｍｉｒｅｄ、２枚目が２００Ｍｉｒｅｄ、３枚目が１８０Ｍｉｒｅｄとなることから、下り順と上り順とでは撮影される順序が逆であることがわかる。
そして、撮影済枚数ｉが撮影枚数以上であると判断すると（ステップＳ１２３でＹに分岐）、その他のキー処理、表示処理を行う（ステップＳ１２４）。
【０１２６】
一方、ステップＳ１１７で、補正順序が下り順でないと判断すると、図１３のステップＳ１２５に進み、補正順序が０＋−順であるか否かを判断する。
０＋−順でないと判断すると、その他の処理、つまり、その他の補正順序で被写体を撮影する。
一方、０＋−順であると判断すると、ＷＢの色温度の初期値Ｍ１を「Ｍ１＝Ｍ０」と設定する（ステップＳ１２６）。したがって、初期値Ｍ１＝２００Ｍｉｒｅｄとなる。
【０１２７】
次いで、撮影順序ｍを「ｍ＝＋１」と設定し（ステップＳ１２７）、撮影枚数ｎを「ｎ＝ｋ＋１」と、撮影済枚数ｊを「ｊ＝０」と設定する（ステップＳ１２８）。ここで、ｋ＝１なので、撮影枚数ｎは「２」と設定される。
次いで、ステップＳ１２９に進み、ＷＢ補正撮影処理を行う。
ＷＢ補正撮影処理は上述したように、図１４のステップＳ１５１に進み、ＷＢブラケット撮影の補正色温度の設定を行う。
ここで、設定される補正色温度Ｍは、「Ｍ＝Ｍ１＋ｍ・ｊ・ΔＭ」なので、補正色温度Ｍは、「Ｍ＝２００Ｍｉｒｅｄ」となる。但し、Ｍ１＝２００Ｍｉｒｅｄ、ｍ＝＋１、ｊ＝０、ΔＭ＝２０Ｍｉｒｅｄである。
次いで、該設定した色温度Ｍ（＝２００Ｍｉｒｅｄ）となるように、利得調整部１１を制御することにより、ホワイトバランス処理を行う（ステップＳ１５２）。
次いで、設定した撮影条件で被写体を撮影し、撮影した画像データをＤＲＡＭに記憶し（ステップＳ１５３）、ＤＲＡＭに記憶した該画像データをフラッシュメモリに記録する（ステップＳ１５４）。
次いで、図１３のステップＳ１３０に進み、ｊを「ｊ＝ｊ＋１＝０＋１＝１」と設定し、撮影済枚数ｊ（ｊ＝１）が撮影枚数ｎ（ｎ＝２）以上か否かを判断する（ステップＳ１３１）。ここでは、ｊはｎより小さいので、ステップＳ１２９に進み上記した動作を繰り返す。
【０１２８】
このループにより撮影される画像の色温度は、１枚目が２００Ｍｉｒｅｄとなり、２枚目が２２０Ｍｉｒｅｄとなる。
そして、２枚目の画像が撮影されると、撮影済枚数ｊは２となるので（ｊ＝１＋１＝２）、ステップＳ１３１で撮影済枚数ｊ（ｊ＝２）は撮影済枚数ｎ（ｎ＝２）以上と判断し、ステップＳ１３２に進む。
【０１２９】
ステップＳ１３２に進むと、撮影順序ｍを「ｍ＝−１」と設定し、撮影枚数ｎを「ｎ＝ｋ」と、撮影済枚数ｊを「ｊ＝１」と設定する（ステップＳ１３３）。ここで、ｋ＝１なので、撮影枚数ｎは「１」と設定される。
次いで、ステップＳ１３４に進み、ＷＢ補正撮影処理を行う。
【０１３０】
つまり、図１９のステップＳ１５１に進み、ＷＢブラケット撮影の補正色温度Ｍの設定を行う。
ここで、設定される補正色温度Ｍは、「Ｍ＝Ｍ１＋ｍ・ｊ・ΔＭ」なので、補正色温度Ｍは、「Ｍ＝１８０Ｍｉｒｅｄ」となる。但し、Ｍ１＝２００Ｍｉｒｅｄ、ｍ＝−１、ｊ＝１、ΔＭ＝２０Ｍｉｒｅｄである。
次いで、該設定した色温度Ｍ（＝１８０Ｍｉｒｅｄ）となるようにホワイトバランス処理を行ってから被写体を撮影し、該撮影した画像データをフラッシュメモリに記録する（ステップＳ９２〜ステップＳ９５）。
【０１３１】
次いで、図１２のステップＳ１３５に進み、撮影済枚数ｊを「ｊ＝ｊ＋１＝１＋１＝２」と設定し、撮影済枚数ｊ（ｊ＝２）が撮影枚数ｎ（ｎ＝１）以上か否かを判断する（ステップＳ１３６）。ここでは、撮影済枚数ｊは撮影枚数ｎより大きいので、撮影済枚数ｊは撮影枚数ｎ以上であると判断し、図１２のステップＳ１２４に進み、その他のキー処理、表示処理を行う。
補正順序が０＋−順の場合に撮影される画像の色温度は、１枚目が２００Ｍｉｒｅｄ、２枚目が２２０Ｍｉｒｅｄ、３枚目が１８０Ｍｉｒｅｄとなる。
【０１３２】
以上のように、第２の実施の形態においては、ユーザが設定した補正間隔、補正順序、補正枚数にしたがって、ホワイトバランスブラケット撮影を行うので、撮影ごとに撮影条件（ホワイトバランスの撮影条件）を変えて撮影しなくても、ホワイトバランスの異なる画像を一度に複数撮影することができる。
また、ホワイトバランスの補正間隔などをユーザが自由に設定することができるので、ユーザは所望の画像を得ることができる。
また、自動的に設定されたホワイトバランスがユーザの好みとなっていない場合であっても、ブラケット撮影した複数の中から、所望のホワイトバランスを有する画像を得ることができるので、好みのホワイトバランスを有する画像を得る確率が高くなり、シャッタチャンスを逃すことがない。
【０１３３】
なお、ユーザが予め基準となる色温度などを設定しておき、その設定された色温度を基準に色温度をブラケティングさせてブラケット撮影を行うようにしてもよい。
また、色温度やＬＢ指数の補正間隔を設定するのではなく、色度座標の補正間隔（Δｘ、Δｙ）などを設定しておき、色度座標をブラケティングさせることによりブラケット撮影を行うようにしてもよい。
【０１３４】
また、ブラケット撮影によって連続撮影される複数の画像の色度座標や色温度を個々に設定することができるようにしてもよい。つまり、この場合には、ブラケティング撮影でなく、撮影条件の異なる画像を複数枚連続して撮影するということになる。例えば、１枚目の画像の色温度は２００Ｍｉｒｅｄ、２枚目の画像の色温度は２５０Ｍｉｒｅｄ、３枚目の画像の色温度は１９０Ｍｉｒｅｄというようになる。
【０１３５】
また、ＷＢブラケット撮影は、連続して被写体を撮影するので、高速ホワイトバランスを行うと判断し、第１の実施の形態の変形例１に示したように、波長間隔、分解能が粗い分光エネルギー分布を取得して、ホワイトバランスを行うようにしてもよい。
また、第１の実施の形態の変形例２と組み合わせてホワイトバランスを行うようにしてもよい。
【０１３６】
［第３の実施の形態］
次に、第３の実施の形態について説明する。
第３の実施の形態は、光源の分光エネルギー分布から色温度などを求めてホワイトバランスの制御を行うのではなく、所望の分光エネルギー分布となるような仮想的なカラー変換フィルタを算出し、該算出した仮想フィルタを用いてホワイトバランスの制御を行うというものである。
【０１３７】
Ｇ．デジタルカメラ１の構成
図１５は、第３の実施の形態における撮像装置を実現するデジタルカメラ３１の電気的な概略構成を示すブロック図である。なお、デジタルカメラ１と同様の構成部については、図１で付した符号をそのまま付してある。
デジタルカメラ３１は、撮像レンズ２、駆動回路３、絞り兼用シャッタ４、垂直ドライバ５、ＴＧ（timing generator）６、ＣＣＤ７、サンプルホールド回路８、アナログデジタル変換器９、色分離回路１０、利得調整部１１、画像信号処理部１２、メモリ１３、制御回路１４、表示部１５、キー入力部１６、プリズム回折格子１７、センサアレイ１８、ドライバー・アンプ１９、アナログデジタル変換器２０、エネルギー分布表メモリ２１、ＲＯＭ２３、ホワイトバランス制御部２６、仮想フィルタ特性演算部２８から構成されている。
【０１３８】
ＲＯＭ２３には、撮像レンズ２等の撮像光学系の分光透過率特性Ｔ（λｉ）、及び、平坦な分光エネルギー分布、標準光源や所定の色温度の黒体輻射に相当する分光エネルギー分布等の複数の分光エネルギー分布Ｌｗ（λｉ）が記録されている。
仮想フィルタ特性演算部２８は、エネルギー分布表メモリ２１に記憶されている光源光の分光エネルギー分布Ｌ（λｉ）とＲＯＭ２３に記録されている撮像光学系（撮像レンズ２など）の分光透過率特性Ｔ（λｉ）とから、光源光が撮像光学系を透過した光の波長帯毎の分光エネルギー分布Ｌ１（λｉ）のシミュレーション演算を数６にしたがって行う（仮想フィルタ算出手段）。
【０１３９】
【数６】
2006054678.tif 000008
【０１４０】
なお、ＣＣＤ７の分光感度特性Ｓ（λｉ）をも考慮して、ＣＣＤ７からの出力される撮像信号の分光エネルギー分布のシミュレーション演算を行い、それをＬ１（λｉ）としてもよい。この場合には、数７にしたがってＬ１（λｉ）を求めることができる。
また、エネルギー分布表メモリ２１に記憶されている光源光の分光エネルギー分布Ｌ（λｉ）をそのまま用いてもよい。つまり、Ｌ（λｉ）＝Ｌ１（λｉ）となる。
【０１４１】
【数７】
2006054678.tif 000009
【０１４２】
ユーザはキー入力部１６の操作によりＲＯＭ２３に記録されている平坦な分光エネルギー分布、標準光源や所定の色温度の黒体輻射に相当する分光エネルギー分布等の中から所望の分光エネルギー分布Ｌｗ（λｉ）を選択し、制御回路１４は、該選択された分光エネルギー分布Ｌｗ（λｉ）をＲＯＭ２３から取得する旨の制御信号を仮想フィルタ特性演算部２８に送る。なお、このユーザの所望の分光エネルギー分布Ｌｗ（λｉ）の選択は、予め設定モードなどにおいて設定しておいてもよいし、被写体のスルー画像表示中に随時選択できるようにしてもよい。
【０１４３】
そして、仮想フィルタ特性演算部２８は、制御回路１４から送られてきた制御信号に従って、該選択された分光エネルギー分布Ｌｗ（λｉ）をＲＯＭ２３から取得し、該取得した分光エネルギー分布Ｌｗ（λｉ）と該シミュレーション演算した分光エネルギー分布Ｌ１（λｉ）から、仮想的なカラー変換フィルタ特性Ｆ（λｉ）を数８にしたがって算出する（仮想フィルタ算出手段）。
【０１４４】
【数８】
2006054678.tif 000010
【０１４５】
そして、仮想フィルタ特性演算部２８は、仮想的なカラー変換フィルタ特性Ｆ（λｉ）の算出を行うと、該算出したカラー変換フィルタ特性Ｆ（λｉ）をホワイトバランス制御部２６に出力する。
ホワイトバランス制御部２６は、ＣＣＤ７からの撮像信号ＲＧＢ成分に対して、この仮想的なカラー変換フィルタＦ（λｉ）に相当する波長帯毎の利得制御処理を行うように利得調整部１１を制御することによりホワイトバランスを行う。
これにより、撮像信号の分光エネルギー分布Ｌ２（λｉ）が、ステップＳ２０４で設定した所望の分光エネルギー分布Ｌｗ（λｉ）となるようにホワイトバランスが行われることになる（ホワイトバランス制御手段）。
【０１４６】
つまり、撮像信号の分光エネルギー分布Ｌ２（λｉ）にカラー変換フィルタＦ（λｉ）を施すことにより、ホワイトバランス後、つまり、利得調整部１１から出力される撮像信号の分光エネルギー分布Ｌ２´（λｉ）は、Ｌ２´（λｉ）＝Ｌ２（λｉ）・Ｆ（λｉ）＝Ｌ２（λｉ）・｛Ｌｗ（λｉ）／Ｌ１（λｉ）｝≒Ｌｗ（λｉ）となる。
但し、Ｌ２（λｉ）≒Ｌ１（λｉ）となる。なぜならば、シミュレーション演算によって求められた撮像系を透過した光の波長帯毎の分光エネルギー分布Ｌ１（λｉ）と、撮像信号の分光エネルギー分布Ｌ２（λｉ）は略同一とみなせるからである。
他の構成の機能は、第１の実施の形態と同様なので説明を省略する。
【０１４７】
Ｈ．デジタルカメラ３１の動作
第３の実施の形態におけるデジタルカメラ３１の動作を図１６フローチャートにしたがって説明する。
ステップＳ２０１で測光処理を行い、プリズム回折格子１７によって波長毎に分光された光をセンサアレイ１８、ドライバー・アンプ１９により受光されたアナログ信号をアナログデジタル変換器２０でデジタル信号に変換して、光源光の分光エネルギー分布Ｌ（λｉ）を取得し、該取得した光源光の分光エネルギー分布の表データをエネルギー分布表メモリ２１に記憶し、また、撮像光学系の分光透過率特性Ｔ（λｉ）をＲＯＭ２３から取得する（ステップＳ２０２）。
【０１４８】
次いで、エネルギー分布表メモリ２１に記憶されている光源光の分光エネルギー分布Ｌ（λｉ）と、撮像光学系の分光透過率特性Ｔ（λｉ）から、光源光から撮像光学系を透過した光の波長帯毎の分光エネルギー分布Ｌ１（λｉ）のシミュレーション演算を行う（ステップＳ２０３）。この演算は、数６にしたがって求めることができる。ここでは、図１７（ｈ）に示すような分光エネルギー分布Ｌ１（λｉ）がシミュレーション演算されたものとする。なお、ＣＣＤ７の分光感度特性Ｓ（λｉ）を考慮して、撮像信号の分光エネルギー分布のシミュレーション演算を行い、それをＬ１（λｉ）としてもよい。この場合には、数７にしたがってＬ１（λｉ）を求めることができる。
【０１４９】
次いで、ＲＯＭ２３に記録されている平坦な分光エネルギー分布、標準光源や所定の色温度の黒体輻射に相当する分光エネルギー分布等の中からユーザのキー入力部１６の操作によって選択された所望の分光エネルギー分布Ｌｗ（λｉ）を取得する（ステップＳ２０４）。
次いで、ステップＳ２０４で取得した所望の分光エネルギー分布Ｌｗ（λｉ）と、ステップＳ２０３でシミュレーション演算によって求めた撮像系を透過した光の波長帯毎の分光エネルギー分布Ｌ１（λｉ）とから、仮想的なカラー変換フィルタ特性Ｆ（λｉ）を数８にしたがって算出する（ステップＳ２０５）。ここでは、図１７（ｉ）に示すような仮想的なカラー変換フィルタ特性Ｆ（λｉ）が算出されたものとする。
【０１５０】
次いで、ＣＣＤ７からの撮像信号ＲＧＢ成分に対して、ステップＳ２０５で算出された仮想的なカラー変換フィルタＦ（λｉ）に相当する波長帯毎の利得制御処理を行うように利得調整部１１を制御することによりホワイトバランスを行う（ステップＳ２０６）。
これにより、撮像信号の分光エネルギー分布Ｌ２（λｉ）が、ステップＳ２０４で設定した所望の分光エネルギー分布Ｌｗ（λｉ）となるようにホワイトバランスが行われることになる。
【０１５１】
つまり、Ｌ２（λｉ）にカラー変換フィルタ特性Ｆ（λｉ）を施すことにより、ホワイトバランス後の撮像信号の分光エネルギー分布Ｌ２´（λｉ）は、Ｌ２´（λｉ）＝Ｌ２（λｉ）・Ｆ（λｉ）＝Ｌ２（λｉ）・｛Ｌｗ（λｉ）／Ｌ１（λｉ）｝≒Ｌｗ（λｉ）となる。
但し、Ｌ２（λｉ）≒Ｌ１（λｉ）となる。なぜならば、シミュレーション演算によって求められた撮像系を透過した光の波長帯毎の分光エネルギー分布Ｌ１（λｉ）と、撮像信号の分光エネルギー分布Ｌ２（λｉ）は略同一とみなせるからである。
ここでは、ホワイトバランス処理後の撮像信号の分光エネルギー分布Ｌ２´（λｉ）は、図１７（ｊ）に示すような特性となる。
【０１５２】
以上のように、第３の実施の形態においては、光源の分光エネルギー分布Ｌ（λｉ）と撮像系の分光透過率特性Ｔ（λｉ）とから、撮像系を透過した光の分光エネルギー分布Ｌ１（λｉ）のシミュレーション演算を行い、該演算した分光エネルギー分布Ｌ１（λｉ）とユーザによって選択された所望の分光エネルギー分布Ｌｗ（λｉ）とから仮想的なカラー変換フィルタＦ（λｉ）を算出し、該算出したカラー変換フィルタＦ（λｉ）を用いてホワイトバランスを行うようにしたので、光源毎の識別手段や色温度検出手段等を個々に設ける必要もなく、３波長型蛍光灯など多様な光源や複数光源が混在した場合でもそのまま対応することができる。
【０１５３】
［第４の実施の形態］
次に、第４の実施の形態について説明する。
第４の実施の形態は、表示部１５に表示させる画像の表示仕様等をビギナー用、プロ用などに分け、ビギナー用、プロ用などによって、ユーザのホワイトバランスの設定方法も異ならせるというものである。
【０１５４】
Ｉ．デジタルカメラ１の構成
第４の実施の形態も、図１に示したものと同様の構成を有するデジタルカメラ１を用いることにより本発明の撮像装置を実現する。
まず、第４の実施の形態のデジタルカメラ１における、特徴となる構成の機能について説明する。
【０１５５】
制御回路１４は、ユーザのキー入力部１６の操作によりファインダ設定モードに設定され、ファインダの表示仕様、表示様式等が選択されると、該選択された表示仕様、表示様式等をファインダの表示仕様として設定する（仕様設定手段）。
ここで、ファインダの表示仕様、表示様式等としては、ビギナー仕様、プロ仕様、ヒストグラム表示仕様、スルー画像仕様などがある。
【０１５６】
ビギナー仕様とは、被写体のスルー画像とともに、ビギナー仕様で撮影情報、撮影状況を表示させる仕様のことをいい、プロ仕様とは、被写体のスルー画像とともに、プロ仕様で撮影情報、撮影状況を表示させる仕様のことをいう。
ヒストグラム仕様とは、被写体のスルー画像とともに、撮影情報、撮影状況とともに撮像画像のヒストグラムを表示させる仕様のことをいい、スルー画像仕様とは、被写体のスルー画像のみを表示させる仕様のことをいう。
【０１５７】
そして、制御回路１４は、ユーザのキー入力部１６の操作により撮影モードに設定されると、被写体のスルー画像を、ファインダ設定モードで設定された表示仕様で表示部１５に表示させる（表示制御手段）。なお、ファインダ設定モードでユーザにより表示仕様、表示様式が設定されていない場合には、予め定められた表示仕様、表示様式、例えば、ビギナー仕様で表示させるようにしてもよい。
【０１５８】
また、制御回路１４は、該設定された表示仕様、表示様式で被写体のスルー画像の表示中にユーザによってキー入力部１６のＤＩＳＰキーの操作が行われると、現在表示している表示仕様を切り替える。例えば、ビギナー仕様で表示している場合に、ＤＩＳＰキーの操作が行われると、ビギナー仕様からプロ仕様に切り替わる。更に、ＤＩＳＰキーの操作が行われる度に、プロ仕様→ヒストグラム仕様→スルー画像仕様→ビギナー仕様というように切り替わる。
また、ビギナー仕様で被写体のスルー画像の表示中にＳｈｉｆｔキーの操作が行われると、ビギナー仕様でのホワイトバランス設定モード画面に切り替わり、初心者のユーザでも、適切なホワイトバランスの調整を行ことが可能となる。つまり、ホワイトバランスを調整させるための情報をビギナー仕様で表示させることとなる。
また、プロ仕様で被写体のスルー画像の表示中にＳｈｉｆｔキーの操作が行われると、プロ仕様でのホワイトバランス設定モード画面に切り替わり、熟練者のユーザが精密なホワイトバランスの調整を行うことが可能となる。つまり、ホワイトバランスを調整させるための情報をプロ仕様で表示させることとなる。
【０１５９】
このように、初心者のユーザに対しては、ビギナー仕様でのホワイトバランス設定モード画面を表示させるので、初心者のユーザでも適切なホワイトバランスを行うことができ、熟練者のユーザに対しては、プロ仕様でのホワイトバランス設定モード画面を表示させるので、精密なホワイトバランスを行うことができる。
以下、詳細に表示部１５に表示させる画像を参酌して、ビギナー仕様、プロ使用などでのホワイトバランスの調整方法について説明する。
【０１６０】
Ｊ．表示様式等の表示及びホワイトバランスの調整方法について
次に、表示様式等の表示及びホワイトバランスの調整方法について、図１８〜図２４を用いて詳細に説明する。
ＣＣＤ７による撮像を開始し、撮像した被写体のスルー画像をユーザにより設定された表示仕様、表示様式で表示部１５に表示させる。ここでは、ビギナー仕様と設定されたものとする。図１８（ｋ）は、このときの様子を示したものであり、真ん中の中央に被写体のスルー画像（女性の人）、及びビギナー仕様の撮影情報、撮影状況などが表示されている。
【０１６１】
ビギナー仕様の撮影情報、撮影状況としては、現在のストロボの発光状態（現在は発光禁止状態）を示す５１部、現在のホワイトバランスの状態（現在は、太陽光下でのホワイトバランス）を示す５２部、セルフタイマーで撮影するか否かを示す５３部（表示されているときはセルフタイマーで撮影することを表す）、撮影モードを表す５３部（現在は、静止画撮影モードであることを示している）、ズームバー（現在のズーム倍率を示すバー）を示す５５部、バッテリー残量を示す５６部、露出補正状態を示す５７部などがある。また、画面の右部にあるＦ２．８、１／２５０は、現在の絞り値、シャッタ速度を表している。
【０１６２】
そして、ユーザがキー入力部１６のＤＩＳＰキーの操作を行うことにより、表示される表示仕様、表示様式を切り替えることができる。
まず、ユーザがキー入力部１６のＤＩＳＰキーの操作を行うと、ビギナー仕様からプロ仕様の表示仕様、表示様式に切り替わる。図１８（ｌ）は、そのときの様子を示したものである。図に示すようにプロ仕様では、現在の絞り値を示す線５８とシャッタ速度を表す線５９が表示される。
そして、再びキー入力部１６のＤＩＳＰキーの操作を行うと、プロ仕様から被写体のスルー画像とともにヒストグラムなどを表示させるヒストグラム表示仕様に切り替わる。図１８（ｍ）はそのときの様子を示したものである。図の６０部は、撮像した画像のヒストグラムを表している。他の撮影情報、撮影状況はビギナー仕様と同様である。なお、ビギナー仕様とは異なる表示方法などにより撮影情報、撮影状況などを表示させるようにしてもよいし、撮影情報、撮影状況を表示させないようにしてもよい。
【０１６３】
そして、再びキー入力部１６のＤＩＳＰキーの操作を行うと、ヒストグラム表示仕様から被写体のスルー画像のみを表示させるスルー画像仕様に切り替わる。図１８（ｎ）はそのときの様子を示したものであり、ＣＣＤ７によって撮像された被写体である女性の人のみが表示部１５に表示されている。
そして、再びキー入力部１６のＤＩＳＰキーの操作を行うと、スルー画像仕様から再びビギナー仕様に切り替わる。このように、ユーザはキー入力部１６のＤＩＳＰキーの操作により表示部１５に表示される表示仕様、表示様式を切り替えることができ、自分にあった表示仕様で表示させることができる。
【０１６４】
ビギナー仕様のＷＢの調整について
次に、図１８（ｋ）に示すようにビギナー仕様の表示仕様、表示様式で被写体のスルー画像を表示しているときに、ユーザのキー入力部１６のＳｈｉｆｔキーの操作が行われると、ＷＢ設定モード（ＷＢを設定することができる状態）に切り替わる。
図１９（ｐ）は、ＷＢを設定することができる状態に切り替わったときの表示部１５に表示される画像の様子を示したものである。図１９（ｐ）を見ると、「太陽光」、「日陰」、「電球」、「蛍光灯」、「マニュアル」の５つの欄が表示されているのがわかる。「太陽光」とは、太陽光の下で撮影したときに最も適切にホワイトバランスを行うことができることを意味し、「日陰」とは、日陰で撮影したときに最も適切にホワイトバランスを行うことができることを意味し、「電球」とは、電球の下で撮影するときに最も適切にホワイトバランスを行うことができることを意味している。また、「蛍光灯」も同じように、蛍光灯の下で撮影するときに最も適切にホワイトバランスを行うことができることを意味している。
【０１６５】
図１９（ｐ）を見るとわかるように、現在のホワイトバランスは、「太陽光」と設定されているので、「太陽光」の欄が選択されている（網がかっている）状態となっているのがわかる。
そして、ユーザのキー入力部１６の十字キーの「↓」を操作することにより、「太陽光」の欄から「日陰」の欄が選択されている状態に切り替わる。つまり、十字キーの操作の「↓」を操作することにより「太陽光」→「日陰」→「電球」→「蛍光灯」→「マニュアル」というように順次欄が選択されていく。また十字キーの「↑」を操作すると、選択される欄の順序が十字キーの「↓」の操作と逆方向となる。
【０１６６】
ここで、図２０（ｑ）に示すように「マニュアル」の欄が選択されている状態でＳｅｔキーの操作が行われると、図２０（ｒ）に示すようにマニュアルでホワイトバランスの設定を行う状態へと切り替わる。
図２０（ｒ）の下部にホワイトバランスという文字が表示され、その右横に点線枠６１（ＷＢバー）がある。この点線枠６１（ＷＢバー）は、ホワイトバランスを調整するためのものであり、点線枠６１（ＷＢバー）には、横長の長方形の形状をしたもの（以下、長方形部）が５つ横に並んでいるのがわかる。この５つの長方形部の中で真ん中に位置する長方形部は白の色を有しており、左端に位置する長方形部は赤い色を有しており、右端に位置する長方形部は青い色を有している。また、真ん中と左端の間にある長方形部は薄赤の色を有しており、真ん中と右端の間にある長方形部は薄青の色を有している。つまり、この５つの長方形部は、真ん中は白の色を有しており、左にある長方形部ほど赤い色を有しており、右にある長方形部ほど青い色を有している。
また、点線枠６１には、真ん中の長方形部の上に逆三角形の形状のもの（以下、調整部という）があり、これは真ん中が選択されている状態を示している。つまり、現在は標準でホワイトバランスを行う状態であることを示している。
【０１６７】
そして、ユーザがキー入力部１６の十字キーの「←」の操作をすると、図２１（ｓ）に示すように、調整部が左端と真ん中の間に位置する長方形部の上に移動する。これは、現在左端と真ん中の間に位置する長方形部が選択されている状態であることを示している。
すると、図２１（ｔ）に示すように、「白が赤味がかった白に写るのを補正します。色温度が低い白熱電灯照明の屋内撮影に適しています。」というようにどのようにホワイトバランスを行うかを示すホワイトバランスの説明文と、その横にサンプル画像が表示される。このときに、ユーザが実行キーを操作すると、色温度が低い白熱電灯照明の屋内撮影に適すようにホワイトバランスを行い、図１８（ｋ）に示すような画像に戻る。
つまり、ユーザはこの十字キーの操作により調整部を移動させて、説明文を参酌することにより適切なＷＢの調整を選ぶことができる。
【０１６８】
また、ユーザがキー入力部１６の実行キーの操作を行わずに十字キーの「→」を操作することにより、図２１（ｕ）に示すように、調整部が右端と真ん中の間に位置する長方形部の上に移動させると、該長方形部が選択されている状態となり、このときには、「白が青味がかった白に写るのを補正します。色温度が７０００Ｋと高い蛍光灯照明の屋内撮影に適しています。」というような説明文と、その横にサンプル画像が表示される。このときにユーザが実行キーを操作すると、色温度が高い蛍光灯照明の屋内撮影に適すようなホワイトバランスを行い、図１８（ｋ）に示すような画像に戻る。
つまり、この十字キーの操作により調整部を移動させる度に（ホワイトバランスの調整を行う度に）、ホワイトバランスの説明分とサンプル画像を表示させるので、この説明文などを参酌することにより初心者でも適切なホワイトバランスを行うことができる。
また、現在のホワイトバランスの設定状態の説明文をも表示させるようにしてもよい。
【０１６９】
一方、ユーザが実行キーの操作を行わずにＳｅｔキーの操作を行うと、図２０（ｑ）に示すような画像に戻る。
なお、「マニュアル」の欄ではなく、「日陰」等の欄を選択してＳｅｔキーを操作した場合にも、ホワイトバランスの説明文及びサンプル画像が表示させるようにしてもよい。
以上のようにビギナー仕様のＷＢの調整は、ホワイトバランスを調整する度に、そのホワイトバランスの説明文等を表示部１５に表示させるので、ユーザはその説明文などを参酌することにより、簡易に適切なホワイトバランスを行うことが可能となる。
【０１７０】
プロ仕様のＷＢの調整について
次に、図１８（ｌ）に示すようにプロ仕様の表示仕様、表示様式で被写体のスルー画像を表示しているときに、ユーザのキー入力部１６のＳｈｉｆｔキーの操作が行われると、ＷＢ設定モード（ＷＢを設定することができる状態）に切り替わる。
図２２（ｖ）は、ＷＢを設定することができる状態に切り替わったときの表示部１５に表示される画像の様子を示すものである。図２２（ｖ）に示してあるように、枠６４は、撮像画像の色度座標（ｘ、ｙ）の値を表示したものであり、現在は、ｘ＝０．３１、ｙ＝０．３１であることがわかる。また、６３部は、色度図を示したものであり、この色度図上にｘの色度座標を示す線６２ｘと、ｙの色度座標を示す線６２ｙとがある。この線６２ｘと線６２ｙの交点が撮影画像の色度座標（０．３１、０．３１）であることを示している。
【０１７１】
点線枠６１（ＷＢバー）は、ホワイトバランスを微調整するものであり、「ビギナー仕様のＷＢの調整について」で上述したように調整部を左右に動かすことにより、ホワイトバランスの微調整を行う。この調整部を動かすと撮影画像の色度座標も変わるので、調整部が動かされると、それに伴って色度座標も連動して変わることになる。
なお、ユーザが線６２ｘと線６２ｙを動かすことにより色度座標を変更して、実行キーの操作が行われると、該変更された色度座標となるようにホワイトバランスを行うようにしてもよい。
【０１７２】
そして、ユーザのキー入力部１６の操作によりホワイトバランスの微調整を行ってから実行キーの操作が行われると、ホワイトバランスを行う。
ここで、ホワイトバランスの制御としては、現在の撮像信号の分光エネルギー分布から色度座標を求め、該求められた色度座標からユーザによって変更された色度座標となるように利得調整部１１を制御することにより、ホワイトバランスの制御を行う。
なお、色度座標などが変更される度に、該変更された色度座標となるようにホワイトバランスを行うようにしてもよい。この場合には、実行キーの操作は不要である。
【０１７３】
また、図２２（ｖ）に示すような画像が表示部１５に表示されている状態で、ユーザがキー入力部１６の詳細ボタンを操作することにより、図２２（ｖ）の色度図６３が、図２２（ｗ）に示すように拡大されて表示部１５に表示されるようにしてもよい。図２２（ｗ）の曲線６５は、黒体輻射軌跡を示しており、黒体輻射軌跡６５に沿って１０００Ｋ、３０００Ｋ、５０００Ｋ、１００００Ｋ等の黒体輻射軌跡上の各色温度が表示されている。また、図２２（ｗ）の右上部に「６７００Ｋ（１４９ＭＩＲＥＤ）という文字が表示されている。これは現在の撮像画像の色温度を示しており、６７００Ｋというのは色温度をケルビンで表示させたときの色温度であり、１４９ＭＩＲＥＤというのは色温度６７００ＫをＭＩＲＥＤ単位で表示させたときの色温度である。この色温度６７００Ｋは、現在の色度座標（ｘ、ｙ）が位置する黒体輻射軌跡上の位置に対応する色温度によって求められるので、現在の色度座標（０．３１、０．３１）が位置する黒体輻射軌跡上の位置に対応する色温度が６７００Ｋということになる。
【０１７４】
この図２２（ｗ）に示す状態で、ユーザが線６２ｘと線６２ｙとを動かすことにより色度座標を変更させて、実行キーを操作することにより該変更された色度座標となるようにホワイトバランスを行う。
この線２６ｘ、線２６ｙの位置変更は、ユーザのキー入力部１６の十字キーの操作や、表示部１５を直接触ることにより操作することにより（タッチパネルなど）変更することができる。
【０１７５】
また、図２２（ｖ）に示すような画像が表示されている状態で、更に、ユーザがキー入力部１６のＳｈｉｆｔキーの操作を行うと、図２３（ｘ）に示すような画像が表示される。図２３（ｘ）の６３部は色度図を表しており、色度図上には、黒体輻射軌跡と色温度及び現在の撮像画像の色温度を示す指針部６６が表示されている。また、色度図６３の中に「６７００Ｋ」という文字が表示されているのがわかる。これは現在の色温度を示しており、指針部６６も色温度６７００Ｋを示す状態となっている。この指針部６６を動かすことにより色温度を変更させて、実行キーを操作することにより該変更された色温度となるようにホワイトバランスを行う。
【０１７６】
また、図２３（ｘ）が表示されている状態で、ユーザがキー入力部１６の詳細ボタンを操作することにより、図２３（ｘ）の黒体輻射軌跡、色温度及び指針部６６等が、図２３（ｙ）に示すように拡大されて表示部１５に表示される。
図２３（ｙ）の黒体輻射軌跡の上に表示されている、２０００Ｋ、４０００Ｋ、１００００Ｋ等はケルビン単位で表した色温度を表しており、黒体輻射軌跡の下に表示されている０、１００Ｍ、２００Ｍ、５００Ｍ等はＭＩＲＥＤ単位で表した色温度を表している。このときに、この指針部６６を動かすことにより色温度を変更させて、ユーザにより実行キーの操作が行われることにより該変更された色温度となるようにホワイトバランスを行うようにする。
【０１７７】
ここで、ホワイトバランスの制御としては、現在の撮像信号の分光エネルギー分布から色温度を求め、該求められた色温度からユーザによって変更された色温度となるように利得調整部１１を制御することにより、ホワイトバランスの制御を行う。
この指針部６６の位置変更は、ユーザのキー入力部１６の十字キーの操作や、表示部１５を直接触ることにより操作することにより（タッチパネルなど）変更することができる。
【０１７８】
また、図２３（ｘ）に示すような画像が表示されている状態で、ユーザによってキー入力部１６のＳｈｉｆｔキーの操作が行われると、図２４（ｚ）に示すような画像が表示される。
図２４（ｚ）の長方形部６７は、撮像画像の色温度や分光エネルギー分布を示したものである。現在の色温度は６７００Ｋ／１４９Ｍであることがわかる。
また、枠６８（ＷＢバー）は、上述したようにホワイトバランスを微調整するためのものであり、調整部を動かすことにより、ホワイトバランスを行うことができる。
なお、色度図は、ＸＹＺ表色系の色度図のほかに、ＲＧＢ表色系の色度図、ＵＶＷ表色系（ＣＩＥ１９６０）のＵＶ色度図、Ｕ＊Ｖ＊Ｗ＊均等色空間（ＣＩＥ１９６４）、ＣＩＥＬＡＢのＬ＊Ａ＊Ｂ＊均等色空間、マンセル表色系など、他の表色系の色度座標、色度図、色度空間座標などに変換して表示してもよい。
この場合には、色相、彩度、明度等を表す指数等を操作することによりホワイトバランスの調整を行うようにしてもよい。
また、点線枠６１や枠６８などのＷＢバーは、図２４（ｚ´）に示すようなものでもよい。横長の長方形部７２は、真ん中の位置が白の色を有しており、右端６９に行けば行くほど青い色を有しており、左端７０に行けば行くほど赤い色を有している。また、７１は調整部であり、この調整部７１を動かすことによりホワイトバランスの調整を行うことができる。点線枠６１や枠６８のようなＷＢバーでは、５段階のホワイトバランスの調整しかできないけれど、図２４（ｚ´）に示すようなＷＢバーによれば、微妙な調整を行うことができるからである。
【０１７９】
ヒストグラム表示仕様、スルー画像仕様のＷＢの調整について
図１８（ｍ）、図１８（ｎ）に示すようにヒストグラム表示仕様、スルー画像仕様で被写体のスルー画像を表示しているときに、ユーザのキー入力部１６のＳｈｉｆｔキーの操作が行われた場合にも、ＷＢ設定モード（ＷＢを設定することができる状態）に切り替わる。
この場合には、ビギナー仕様と同様、図１９（ｐ）に示すような画像が表示され、ホワイトバランスの調整を行うことができる。しかし、ヒストグラム表示仕様、スルー画像仕様の場合には、図２１（ｔ）、（ｕ）に示すような説明文やサンプル画像などは表示されない。つまり、図２０（ｑ）に示す状態で、Ｓｅｔキーの操作を行うと、図２１（ｒ）に示すような画像が表示部１５に表示されることとなるが、調整部を移動させて、ホワイトバランスの調整を行っても説明文やサンプル画像は表示されない。
これにより、ビギナー仕様でホワイトバランスの調整に慣れたユーザは、いちいち、サンプル画像や説明文を参酌しなくてもホワイトバランスの調整を行うことができるので、説明文を表示させることによるユーザの感じる煩わしさを回避することができる。
【０１８０】
Ｊ．デジタルカメラ３１の動作
第４の実施の形態におけるデジタルカメラ１の動作を図２５〜図２７フローチャートにしたがって説明する。
ユーザのキー入力部９の操作によりモードが設定されると、設定されたモードが撮影モードであるか否かを判断する（ステップＳ２５１）。
撮影モードでない場合は、現在設定されたモードが設定モードであるか否かを判断する（ステップＳ２５２）。
【０１８１】
設定モードでないと判断すると、その他のモード処理を行い（ステップＳ２５４）、設定モードであると判断すると、ファインダ設定モードであるか否かを判断する（ステップＳ２５３）。
ファインダ設定モードであると判断すると、ユーザによって選択された表示仕様、表示様式等をファインダの表示態様として設定する（ステップＳ２５５）。
ここで、ファインダの表示仕様、表示様式としては、ビギナー仕様、プロ仕様、被写体のスルー画像のみを表示させるスルー画像仕様、被写体のスルー画像とともにヒストグラムなどを表示させるヒストグラム表示仕様（ヒストグラム表示仕様）などがある。
【０１８２】
一方、ファインダ設定モードでないと判断すると（ステップＳ２５３でＮに分岐）、ＷＢブラケットの設定であるか否かを判断し（ステップＳ２５６）、ＷＢブラケットの設定であると判断すると、補正間隔、補正順序、補正枚数の設定を行う（ステップＳ２５７）。このＷＢブラケットの設定については、第２の実施の形態で述べたので、ここでは説明を省略する。
一方、ＷＢブラケットの設定でないと判断すると（ステップＳ２５６でＮの分岐）、その他の設定処理を行う（ステップＳ２５８）。
【０１８３】
また、ステップＳ２５１で撮影モードであると判断すると（ステップＳ２５１でＹに分岐）、図２６のステップＳ２５９に進み、測光処理、ＷＢ処理を行う。ホワイトバランス処理については、第１の実施の形態で述べたのでここでは省略する。
そして、ズーム処理、ＡＦ処理を行ってから（ステップＳ２６０）、被写体のスルー画像の表示を行う（ステップＳ２６１）。
次いで、ステップＳ２５５で設定した表示仕様、表示様式などのカスタム仕様データを読み出す（ステップＳ２６２）。
【０１８４】
次いで、読み出したカスタム仕様がプロ仕様であるか否かを判断し（ステップＳ２６３）、プロ仕様であると判断するとプロ仕様の表示仕様、表示様式などで被写体のスルー画像を表示部１５に表示させ（ステップＳ２６４）、ステップＳ２６９に進む。このときに表示部１５には、図１８（ｌ）のような画像が表示される。
一方、プロ仕様でないと判断すると（ステップＳＳ２６３でＮに分岐）、ビギナー仕様であるか否かを判断し（ステップＳ２６５）、ビギナー仕様であると判断するとビギナー仕様の表示仕様、表示様式で被写体のスルー画像を表示部１５に表示させ（ステップＳ２６６）、ステップＳ２６９に進む。このときに表示部１５には、図１８（ｋ）のような画像が表示される。
【０１８５】
一方、ビギナー仕様でないと判断すると（ステップＳ２６５でＮに分岐）、ヒストグラム表示を行うか否かを判断し（ステップＳ２６７）、ヒストグラム表示を行うと判断するとヒストグラム等を表示部１５に表示させて（ステップＳ２６８）、ステップＳ２６９に進み、ヒストグラム表示を行わないと判断するとそのままステップＳ２７０に進む。このヒストグラム表示を行うか否かの判断は、ステップＳ２５５で表示仕様、表示様式がヒストグラム表示仕様に設定されているか否かにより判断する。図１８（ｍ）は、ヒストグラム表示を行ったときの表示部１５に表示される画像の様子を示したものであり、図１８（ｎ）は、ヒストグラム表示を行わない、つまり、被写体のスルー画像のみを表示部１５に表示させたときの様子を示したものである。
【０１８６】
次いで、図２７のステップＳ２６９に進むと、撮影を行うか否かを判断し、撮影を行わないと判断すると、ＷＢの調整を行うか否かを判断する（ステップＳ２７０）。この判断はユーザのキー入力部１６の実行キー（ホワイトバランスを行う旨）の操作に対応する操作信号が送られてきた場合はＷＢの調整を行なうと判断する。
そして、ホワイトバランスの調整を行うと判断すると、ホワイトバランスの調整を行い（ステップＳ２７１）、ステップＳ２６９に戻る。
例えば、ビギナー仕様の場合に、図２１（ｔ）に示すような画像が表示されているときに、ユーザがキー入力部１６の実行キーの操作を行うと、色温度が低い白熱電灯照明の屋内撮影に適すようにホワイトバランスを行う。また、プロ仕様の場合に、図２２（ｖ）に示すような画像が表示されており、色度座標がユーザによって変更され実行キーが操作された場合は、該変更された色度座標となるようにホワイトバランスを行う。
なお、ビギナー仕様でのＷＢ設定モード時（ホワイトバランスの調整時）には、ステップＳ２５９で行なったＷＢ処理、つまり、現在のホワイトバランスの設定状態の説明文を表示させるようにしてもよい。例えば、「色温度が７０００Ｋと高い昼光色の蛍光灯照明での屋内撮影なので、青味がかかった白が白に写るように補正しました。」というような説明文を表示させるようにしてもよい。
【０１８７】
一方、ステップＳ２７０でＷＢの調整でないと判断すると、ファインダ表示の切り替えを行うか否かを判断する（ステップＳ２７２）。この判断は、ユーザのキー入力部１６のＤＩＳＰキーの操作が行われたか否かにより判断する。
ファインダ表示の切り替えを行わないと判断するとステップＳ２６９に戻り、ファインダ表示の切り替えを行なうと判断するとステップＳ２７３に進み、ファインダの切り替えを行う。
現在表示されている表示使用がビギナー仕様である場合には、ビギナー仕様（図２０（ｋ））からプロ仕様（図２０（ｌ））に切り替わり、現在表示されている使用がプロ仕様である場合には、プロ仕様（図２０（ｌ））からヒストグラム表示仕様（図２０（ｍ））というように順次切り換わる。そして、表示仕様の切り替えを行なうとステップＳ２６９に戻る。
【０１８８】
ステップＳ２６９で撮影を行うと判断すると、ブラケット撮影であるか否かを判断し（ステップＳ２７４）、ブラケット撮影でないと判断すると静止画撮影処理・記録処理を行い（ステップＳ２７５）、ステップＳ２７７に進む。
一方、ブラケット撮影であると判断すると（ステップＳ２７４でＹに分岐）、ＷＢブラケット撮影を行い（ステップＳ２７６）、ステップＳ２７７に進み、その他のキー処理、表示処理などを行う。
【０１８９】
以上のように、第４の実施の形態においては、ファインダの表示仕様、表示様式をプロ仕様、ビギナー仕様等に分けて表示させるので、ユーザの熟練度や目的や嗜好に合わせて、より適切な表示仕様、情報表示に切り替えて利用することができる。
また、ビギナー仕様でのホワイトバランスの調整時には、ホワイトバランスの説明文、サンプル画像などを表示させるので、初心者でもわかり易く、取扱説明書を参照しなくても、簡易に適切なホワイトバランスの設定を行うことができる。
また、プロ仕様でのホワイトバランスの調整時には、撮像画像の色度座標、色温度、黒体輻射軌跡、分光エネルギー分布などを表示させるので、設定の誤解や間違いがなく、また、上級者には豊富で直接的な情報を提供することができ、より精密、精確なホワイトバランスの調整を行うことができる。
また、不要なときは説明文や色度図を表示せず、必要なときは説明文や色度図を表示させることができる。
【０１９０】
なお、ホワイトバランス設定モード時に色度座標、色温度や黒体輻射軌跡などを表示させるようにしたが（図２２〜図２４参照）、プロ仕様で被写体のスルー画像を表示させる状態（図１８（ｌ）の状態）のときに、つまり、ホワイトバランス設定モード時でないときにも、撮像画像の色度座標や色温度、黒体輻射軌跡などを表示させるようにしてもよい。
また、光学ファインダを設け、表示仕様の中に、表示消え仕様というものを設けてもよい。表示消え仕様とは、表示部１５に被写体のスルー画像等を何も表示させない、つまり、表示部１５が消灯している状態での仕様であることをいう。
【０１９１】
また、上記実施の形態における撮像装置は、上記の実施の形態に限定されるものではなく、カメラ付き携帯電話、ＰＤＡ、パソコン等、又はデジタルビデオカメラ等でもよく、要は被写体を撮影することができる機器であれば何でもよい。
【図面の簡単な説明】
【０１９２】
【図１】本発明の実施の形態のデジタルカメラのブロック図である。
【図２】色度座標（ｘ、ｙ、ｚ）と色温度Ｔａの換算テーブルを示す図である。
【図３】色温度ＴａとＲＧＢ成分の相対強度の特性データを示す図である。
【図４】利得調整部１１を制御するときの様子を示した図である。
【図５】第１の実施の形態のデジタルカメラの動作を示すフローチャートである。
【図６】入射される波長毎の分光エネルギー分布、及び、エネルギー分布表メモリに記憶される分光エネルギー分布表の例を示したものである。
【図７】ＲＧＢ表色系の等色関数（λｉ）、（λｉ）、（λｉ）、及び、ＲＯＭ２３に記録されている等色関数表を示す図である。
【図８】ＸＹＺ表色系の等色関数（λｉ）、（λｉ）、（λｉ）、及び、ＲＯＭ２３に記録されている等色関数表を示す図である。
【図９】第１の実施の形態の変形例１のデジタルカメラの動作を示すフローチャートである。
【図１０】第１の実施の形態の変形例２のデジタルカメラの動作を示すフローチャートである。
【図１１】第２の実施の形態のデジタルカメラの動作を示すフローチャートである。
【図１２】第２の実施の形態のデジタルカメラの動作を示すフローチャートである。
【図１３】第２の実施の形態のデジタルカメラの動作を示すフローチャートである。
【図１４】第２の実施の形態のデジタルカメラの動作を示すフローチャートである。
【図１５】第３の実施の形態のデジタルカメラのブロック図である。
【図１６】第３の実施の形態のデジタルカメラの動作を示すフローチャートである。
【図１７】第３の実施の形態における、分光エネルギー分布Ｌ１（λｉ）、仮想的なカラー変換フィルタ特性、ホワイトバランス後の分光エネルギー分布Ｌ２´（λｉ）を示す図である。
【図１８】ビギナー仕様、プロ仕様、ヒストグラム仕様、スルー画像仕様で被写体のスルー画像、及び撮影情報を表示させたときの図である。
【図１９】ビギナー仕様でホワイトバランス設定モードに設定されたときの様子を示す図である。
【図２０】ビギナー仕様でホワイトバランス設定モードに設定されたときの様子を示す図である。
【図２１】ビギナー仕様でホワイトバランスの調整をしたときの様子を示す図である。
【図２２】プロ仕様でホワイトバランス設定モードに設定されたときの様子を示す図である。
【図２３】プロ仕様でホワイトバランス設定モードに設定されたときの様子を示す図である。
【図２４】プロ仕様でホワイトバランス設定モードに設定されたときの様子を示す図である。
【図２５】第４の実施の形態のデジタルカメラの動作を示すフローチャートである。
【図２６】第４の実施の形態のデジタルカメラの動作を示すフローチャートである。
【図２７】第４の実施の形態のデジタルカメラの動作を示すフローチャートである。
【符号の説明】
【０１９３】
１      デジタルカメラ
２      撮像レンズ
３      駆動回路
４      絞り兼用シャッタ
５      垂直ドライバ
６      ＴＧ
７      ＣＣＤ
８      サンプルホールド回路
９      アナログデジタル変換器
１０    色分離回路
１１    利得調整部
１２    画像信号処理部
１３    メモリ
１４    制御回路
１５    表示部
１６    キー入力部
１７    プリズム回折格子
１８    センサアレイ
１９    アンプ
２０    アナログデジタル変換器
２１    エネルギー分布表メモリ
２２    刺激値演算部
２３    ＲＯＭ
２４    色度座標演算部
２５    色温度演算部
２６    ホワイトバランス制御部
２７    色度座標・色温度情報メモリ
２８    仮想フィルタ特性演算部
３１    デジタルカメラ
【図１】
2006054678.tif 000011
【図２】
2006054678.tif 000012
【図３】
2006054678.tif 000013
【図４】
2006054678.tif 000014
【図５】
2006054678.tif 000015
【図６】
2006054678.tif 000016
【図７】
2006054678.tif 000017
【図８】
2006054678.tif 000018
【図９】
2006054678.tif 000019
【図１０】
2006054678.tif 000020
【図１１】
2006054678.tif 000021
【図１２】
2006054678.tif 000022
【図１３】
2006054678.tif 000023
【図１４】
2006054678.tif 000024
【図１５】
2006054678.tif 000025
【図１６】
2006054678.tif 000026
【図１７】
2006054678.tif 000027
【図１８】
2006054678.tif 000028
【図１９】
2006054678.tif 000029
【図２０】
2006054678.tif 000030
【図２１】
2006054678.tif 000031
【図２２】
2006054678.tif 000032
【図２３】
2006054678.tif 000033
【図２４】
2006054678.tif 000034
【図２５】
2006054678.tif 000035
【図２６】
2006054678.tif 000036
【図２７】
2006054678.tif 000037